(57)【特許請求の範囲】
【請求項１】
無線デバイス（４０６）が、第１の周期的リソース割当ての、シンボル数を示す第１の周期性パラメータを含む１つ以上の無線リソース制御メッセージを受信することと、
前記第１の周期的リソース割り当てのアクティブ化を示す、シンボル持続期間を示すニューメロロジーを示す１つ以上の第１のフィールドを含むダウンリンク制御情報を受信することと、
複数のトランスポートブロックを、２つの続く送信機会の間の時間間隔がシンボル持続期間およびシンボルの数に基づいて決定される前記第１の周期的リソース割り当てに関連付けられた無線リソースを介して送信することと、を含む方法。
【請求項２】
前記２つの続く送信機会の間の時間間隔が、前記シンボルの数に前記シンボル持続期間を掛けた値に基づいて決定される、請求項１に記載の方法。
【請求項３】
前記ダウンリンク制御情報が、前記複数のトランスポートブロックの送信のための第１の値までの１つ以上の送信持続期間を示す、請求項１または請求項２に記載の方法。
【請求項４】
前記１つ以上の送信持続期間における送信持続期間が、１つ以上の論理チャネルに対応する、請求項３に記載の方法。
【請求項５】
１つ以上のプロセッサ（４０３）と、
命令（４０５）を記憶するメモリ（４０４）と
を備える無線デバイス（４０６）であって、前記命令が、前記１つ以上のプロセッサに（４０３）よって実行されたとき、前記無線デバイス（４０６）に、
第１の周期的リソース割り当ての、シンボル数を示す第１の周期性パラメータを含む１つ以上の無線リソース制御メッセージを受信することと、
シンボル持続期間を示すニューメロロジーを示す一つ以上の第１のフィールドを含み、前記第１の周期的リソース割り当てのアクティブ化を示すダウンリンク制御情報を受信することと、
２つの続く送信機会の間の時間間隔が前記シンボル持続期間およびシンボル数に基づいて決定される、前記第１の周期的リソース割り当てに関連付けられた無線リソースを介して複数のトランスポートブロックを送信することと
をさせる、無線デバイス（４０６）。
【請求項６】
前記２つの続く送信機会の間の時間間隔が、前記シンボルの数に前記シンボル持続期間を掛けた値に基づいて決定される、請求項５に記載の無線デバイス（４０６）。
【請求項７】
前記ダウンリンク制御情報は、前記複数のトランスポートブロックの送信のための第１の値までの１つ以上の送信持続期間を示す、請求項５または６のいずれか１項に記載の無線デバイス（４０６）。
【請求項８】
前記１つ以上の送信持続期間における送信持続期間が、１つ以上の論理チャネルに対応する、請求項７に記載の無線デバイス（４０６）。
【請求項９】
第１の周期的リソース割り当ての、シンボル数を示す第１の周期性パラメータを含む１つ以上の無線リソース制御メッセージを基地局（４０１）によって送信することと、
シンボル持続期間を示すニューメロロジーを示す１つ以上の第１のフィールドを含み、前記第１の周期的リソース割り当てのアクティブ化を示すダウンリンク制御情報を送信することと、
２つの続く送信機会の間の時間間隔が、シンボル持続期間およびシンボル数に基づいて決定される前記第１の周期的リソース割り当てに関連付けられた無線リソースを介して、複数のトランスポートブロックを受信することと、を含む、方法。
【請求項１０】
前記２つの続く送信機会の間の時間間隔が、前記シンボルの数に前記シンボル持続期間を掛けた値に基づいて決定される、請求項９に記載の方法。
【請求項１１】
前記ダウンリンク制御情報が、前記複数のトランスポートブロックの送信のための第１の値までの１つ以上の送信持続期間を示す、請求項９または１０に記載の方法。
【請求項１２】
前記１つ以上の送信持続期間における送信持続期間が、１つ以上の論理チャネルに対応する、請求項１１に記載の方法。
【請求項１３】
１つ以上のプロセッサ（４０３）と、
命令（４０５）を記憶するメモリ（４０４）と
を備える基地局（４０１）であって、前記命令が、前記１つ以上のプロセッサによって実行されたとき、前記基地局（４０１）に、
第１の周期的リソース割り当ての、シンボル数を示す第１の周期性パラメータを含む１つ以上の無線リソース制御メッセージを送信することと、
前記第１の周期的リソース割り当てのアクティブ化を示す、シンボル持続期間を示すニューメロロジーを示す一つ以上の第１のフィールドを含むダウンリンク制御情報を送信することと、
２つの続く送信機会の間の時間間隔が前記シンボル持続期間およびシンボル数に基づいて決定される、前記第１の周期的リソース割り当てに関連付けられた無線リソースを介して、複数のトランスポートブロックを受信することと
をさせる、基地局（４０１）。
【請求項１４】
前記２つの続く送信機会の間の時間間隔が、前記シンボルの数にシンボル持続期間を掛けた値に基づく、請求項１３に記載の基地局（４０１）。
【請求項１５】
前記ダウンリンク制御情報が、前記複数のトランスポートブロックの送信のための第１の値までの１つ以上の送信持続期間を示す、請求項１３または１４に記載の基地局（４０１）。
【発明の詳細な説明】
【背景技術】
【０００１】
本出願は、２０１７年５月４日に出願された米国仮出願第６２／５０１，６５３号の利益を主張し、その全体が参照により本明細書に組み込まれる。
【発明の概要】
【課題を解決するための手段】
【０００２】
本発明の例示的な実施形態は、キャリアアグリゲーションの動作を可能にする。本明細書で開示される技術の実施形態は、マルチキャリア通信システムの技術分野で用いられ得る。より具体的には、本明細書で開示される技術の実施形態は、マルチキャリア通信システムにおける周期的リソース割り当てに関し得る。
本発明は、例えば、以下を提供する。
（項目１）
無線デバイスによって、第１の周期的リソース割り当ての第１の周期性パラメータを含む第１の周期的リソース割り当て構成パラメータを含む１つ以上の無線リソース制御メッセージを受信することと、
前記第１の周期的リソース割り当てのアクティブ化を示すダウンリンク制御情報を受信することであって、前記ダウンリンク制御情報が、１つ以上の第１のフィールドを含む、受信することと、
複数のトランスポートブロックを、前記第１の周期的リソース割り当てに関連付けられた無線リソースを介して送信することであって、前記第１の周期的リソース割り当ての２つの続く送信機会の間の時間間隔が、前記１つ以上の第１のフィールドおよび前記第１の周期性パラメータに基づく、送信することと、を含む、方法。
（項目２）
前記１つ以上の第１のフィールドが、ニューメロロジーを示し、前記ニューメロロジーが、シンボル持続期間を示す、項目１に記載の方法。
（項目３）
前記第１の周期性パラメータが、シンボルの数を示し、
前記１つ以上の第１のフィールドが、シンボル持続期間を示し、
前記２つの続く送信機会の間の時間間隔が、前記シンボルの数に前記シンボル持続期間を掛けた値に基づく、項目１または２に記載の方法。
（項目４）
前記第１の周期的リソース割り当て構成パラメータが、無線ネットワーク一時識別子を含む、項目１〜３のいずれか１項に記載の方法。
（項目５）
前記ダウンリンク制御情報が、前記無線ネットワーク一時識別子に関連付けられている、項目１〜４のいずれか１項に記載の方法。
（項目６）
前記ダウンリンク制御情報が、前記複数のトランスポートブロックの送信のための無線リソースを示す、項目１〜５のいずれか１項に記載の方法。
（項目７）
前記ダウンリンク制御情報が、１つ以上の第２のフィールドを含み、前記無線リソースが、１つ以上の第２のフィールドに基づいて決定される、項目１〜６のいずれか１項に記載の方法。
（項目８）
前記ダウンリンク制御情報が、前記複数のトランスポートブロックの送信のための第１の値までの１つ以上の送信持続期間を示す、項目１〜７のいずれか１項に記載の方法。
（項目９）
前記１つ以上の送信持続期間における送信持続期間が、１つ以上の論理チャネルに対応する、項目１〜８のいずれか１項に記載の方法。
（項目１０）
前記第１の周期性パラメータが、送信時間間隔の数を示し、
前記１つ以上の第１のフィールドが、送信時間間隔の持続期間を示し、
前記２つの続く送信機会の間の時間間隔が、前記送信時間間隔の数に前記送信時間間隔の持続期間を掛けた値に基づく、項目１〜９のいずれか１項に記載の方法。
（項目１１）
無線デバイスであって、
１つ以上のプロセッサと、
命令を記憶するメモリであって、前記命令が、前記１つ以上のプロセッサによって実行されたとき、前記無線デバイスに、
第１の周期的リソース割り当ての第１の周期性パラメータを含む第１の周期的リソース割り当て構成パラメータを含む１つ以上の無線リソース制御メッセージを受信することと、
前記第１の周期的リソース割り当てのアクティブ化を示すダウンリンク制御情報を受信することであって、前記ダウンリンク制御情報が、１つ以上の第１のフィールドを含む、受信することと、
複数のトランスポートブロックを、前記第１の周期的リソース割り当てに関連付けられた無線リソースを介して送信することであって、前記第１の周期的リソース割り当ての２つの続く送信機会の間の時間間隔が、前記１つ以上の第１のフィールドおよび前記第１の周期性パラメータに基づく、送信することと、をさせる、メモリと、を備える、無線デバイス。
（項目１２）
前記１つ以上の第１のフィールドが、ニューメロロジーを示し、前記ニューメロロジーが、シンボル持続期間を示す、項目１１に記載の無線デバイス。
（項目１３）
前記第１の周期性パラメータが、シンボルの数を示し、
前記１つ以上の第１のフィールドが、シンボル持続期間を示し、
前記２つの続く送信機会の間の時間間隔が、前記シンボルの数に前記シンボル持続期間を掛けた値に基づく、項目１１または１２に記載の無線デバイス。
（項目１４）
前記第１の周期的リソース割り当て構成パラメータが、無線ネットワーク一時識別子を含む、項目１１〜１３のいずれか１項に記載の無線デバイス。
（項目１５）
前記ダウンリンク制御情報が、前記無線ネットワーク一時識別子に関連付けられている、項目１１〜１４のいずれか１項に記載の無線デバイス。
（項目１６）
前記ダウンリンク制御情報が、前記複数のトランスポートブロックの送信のための無線リソースを示す、項目１１〜１５のいずれか１項に記載の無線デバイス。
（項目１７）
前記ダウンリンク制御情報が、１つ以上の第２のフィールドを含み、前記無線リソースが、１つ以上の第２のフィールドに基づく、項目１１〜１６のいずれか１項に記載の無線デバイス。
（項目１８）
前記ダウンリンク制御情報が、前記複数のトランスポートブロックの送信のための第１の値までの１つ以上の送信持続期間を示す、項目１１〜１７のいずれか１項に記載の無線デバイス。
（項目１９）
前記１つ以上の送信持続期間における送信持続期間が、１つ以上の論理チャネルに対応する、項目１１〜１８のいずれか１項に記載の無線デバイス。
（項目２０）
前記第１の周期性パラメータが、送信時間間隔の数を示し、
前記１つ以上の第１のフィールドが、送信時間間隔の持続期間を示し、
前記２つの続く送信機会の間の時間間隔が、前記送信時間間隔の数に前記送信時間間隔の持続時間を掛けた値に基づく、項目１１〜１９のいずれか１項に記載の無線デバイス。
（項目２１）
基地局によって、第１の周期的リソース割り当ての第１の周期性パラメータを含む第１の周期的リソース割り当て構成パラメータを含む１つ以上の無線リソース制御メッセージを送信することと、
前記第１の周期的リソース割り当てのアクティブ化を示すダウンリンク制御情報を送信することであって、前記ダウンリンク制御情報が、１つ以上の第１のフィールドを含む、送信することと、
複数のトランスポートブロックを、前記第１の周期的リソース割り当てに関連付けられた無線リソースを介して受信することであって、前記第１の周期的リソース割り当ての２つの続く送信機会の間の時間間隔が、前記１つ以上の第１のフィールドおよび前記第１の周期性パラメータに基づく、受信することと、を含む、方法。
（項目２２）
前記１つ以上の第１のフィールドが、ニューメロロジーを示し、前記ニューメロロジーが、シンボル持続期間を示す、項目２１に記載の方法。
（項目２３）
前記第１の周期性パラメータが、シンボルの数を示し、
前記１つ以上の第１のフィールドが、シンボル持続期間を示し、
前記２つの続く送信機会の間の時間間隔が、前記シンボルの数に前記シンボル持続期間を掛けた値に基づく、項目２１または２２に記載の方法。
（項目２４）
前記第１の周期的リソース割り当て構成パラメータが、無線ネットワーク一時識別子を含む、項目２１〜２３のいずれか１項に記載の方法。
（項目２５）
前記ダウンリンク制御情報が、前記無線ネットワーク一時識別子に関連付けられている、項目２１〜２４のいずれか１項に記載の方法。
（項目２６）
前記ダウンリンク制御情報が、前記複数のトランスポートブロックの送信のための無線リソースを示す、項目２１〜２５のいずれか１項に記載の方法。
（項目２７）
前記ダウンリンク制御情報が、１つ以上の第２のフィールドを含み、前記無線リソースが、１つ以上の第２のフィールドに基づいて決定される、項目２１〜２６のいずれか１項に記載の方法。
（項目２８）
前記ダウンリンク制御情報が、前記複数のトランスポートブロックの送信のための第１の値までの１つ以上の送信持続期間を示す、項目２１〜２７のいずれか１項に記載の方法。
（項目２９）
前記１つ以上の送信持続期間における送信持続期間が、１つ以上の論理チャネルに対応する、項目２１〜２８のいずれか１項に記載の方法。
（項目３０）
前記第１の周期性パラメータが、送信時間間隔の数を示し、
前記１つ以上の第１のフィールドが、送信時間間隔の持続期間を示し、
前記２つの続く送信機会の間の時間間隔が、前記送信時間間隔の数に前記送信時間間隔の持続期間を掛けた値に基づく、項目２１〜２９のいずれか１項に記載の方法。
（項目３１）
無線デバイスによって、第１の周期的リソース割り当ての第１の周期性パラメータを含む第１の周期的リソース割り当て構成パラメータを含む１つ以上の無線リソース制御メッセージを受信することと、
前記第１の周期的リソース割り当てのアクティブ化を示すダウンリンク制御情報を受信することであって、前記ダウンリンク制御情報が、１つ以上の第１のフィールドを含む、受信することと、
ハイブリッド自動再送要求（ＨＡＲＱ）プロセス識別子に関連付けられたトランスポートブロックを、前記第１の周期的リソース割り当てに関連付けられた無線リソースを介して送信することであって、前記ＨＡＲＱ識別子が、前記１つ以上の第１のフィールドおよび前記第１の周期性パラメータに基づく、送信することと、を含む、方法。
（項目３２）
前記１つ以上の第１のフィールドが、ニューメロロジーを示す、項目２１に記載の方法。
（項目３３）
前記第１の周期性パラメータが、シンボルの数を示し、
前記１つ以上の第１のフィールドが、シンボル持続期間を示し、
前記ＨＡＲＱ識別子が、前記シンボル持続期間を前記シンボルの数で割った値に基づく第１のパラメータのフロアに基づく、項目２１または２２に記載の方法。
（項目３４）
前記第１の周期的リソース割り当て構成パラメータが、無線ネットワーク一時識別子を含む、項目２１〜２３のいずれか１項に記載の方法。
（項目３５）
前記ダウンリンク制御情報が、前記無線ネットワーク一時識別子に関連付けられている、項目２１〜２４のいずれか１項に記載の方法。
（項目３６）
前記ダウンリンク制御情報が、前記複数のトランスポートブロックの送信のための無線リソースを示す、項目２１〜２５のいずれか１項に記載の方法。
（項目３７）
前記無線リソースが、１つ以上の第２のフィールドに基づいて決定される、項目２１〜２６のいずれか１項に記載の方法。
（項目３８）
前記ダウンリンク制御情報が、第１の値までの１つ以上の送信持続期間を示す、項目２１〜２７のいずれか１項に記載の方法。
（項目３９）
前記１つ以上の送信持続期間における送信持続期間が、１つ以上の論理チャネルに対応する、項目２１〜２８のいずれか１項に記載の方法。
（項目４０）
前記第１の周期性パラメータが、送信時間間隔の数を示し、
前記１つ以上の第１のフィールドが、送信時間間隔の持続期間を示し、
前記ＨＡＲＱ識別子が、前記送信持続間隔の持続期間を送信時間間隔の数で割った値に基づく第１のパラメータのフロアに基づく、項目２１〜２９のいずれか１項に記載の方法。
（項目４１）
無線デバイスであって、
１つ以上のプロセッサと、
命令を記憶するメモリであって、前記命令が、前記１つ以上のプロセッサによって実行されたとき、前記無線デバイスに、
第１の周期的リソース割り当ての第１の周期性パラメータを含む第１の周期的リソース割り当て構成パラメータを含む１つ以上の無線リソース制御メッセージを受信することと、
前記第１の周期的リソース割り当てのアクティブ化を示すダウンリンク制御情報を受信することであって、前記ダウンリンク制御情報が、１つ以上の第１のフィールドを含む、受信することと、
ハイブリッド自動再送要求（ＨＡＲＱ）プロセス識別子に関連付けられたトランスポートブロックを、前記第１の周期的リソース割り当てに関連付けられた無線リソースを介して送信することであって、前記ＨＡＲＱ識別子が、前記１つ以上の第１のフィールドおよび前記第１の周期性パラメータに基づく、送信することと、をさせる、メモリと、を備える、無線デバイス。
（項目４２）
前記１つ以上の第１のフィールドが、ニューメロロジーを示す、項目４１に記載の方法。
（項目４３）
前記第１の周期性パラメータが、シンボルの数を示し、
前記１つ以上の第１のフィールドが、シンボル持続期間を示し、
前記ＨＡＲＱ識別子が、前記シンボル持続期間をシンボルの数で割った値に基づく第１のパラメータのフロアに基づく、項目４１または４２に記載の方法。
（項目４４）
前記第１の周期的リソース割り当て構成パラメータが、無線ネットワーク一時識別子を含む、項目４１〜４３のいずれか１項に記載の方法。
（項目４５）
前記ダウンリンク制御情報が、前記無線ネットワーク一時識別子に関連付けられている、項目４１〜４４のいずれか１項に記載の方法。
（項目４６）
前記ダウンリンク制御情報が、前記複数の前記トランスポートブロックの送信のための無線リソースを示す、項目４１〜４５のいずれか１項に記載の方法。
（項目４７）
前記無線リソースが、１つ以上の第２のフィールドに基づいて決定される、項目４１〜４６のいずれか１項に記載の方法。
（項目４８）
前記ダウンリンク制御情報が、第１の値までの１つ以上の送信持続期間を示す、項目４１〜４７のいずれか１項に記載の方法。
（項目４９）
前記１つ以上の送信持続期間における送信持続期間が１つ以上の論理チャネルに対応する、項目４１〜４８のいずれか１項に記載の方法。
（項目５０）
前記第１の周期性パラメータが、送信時間間隔の数を示し、
前記１つ以上の第１のフィールドが、送信時間間隔の持続期間を示し、
前記ＨＡＲＱ識別子が、前記送信時間間隔の持続期間を前記送信時間間隔の数で割った値に基づく第１のパラメータのフロアに基づく、項目４１〜４９のいずれか１項に記載の方法。
（項目５１）
基地局によって、第１の周期的リソース割り当ての第１の周期性パラメータを含む第１の周期的リソース割り当て構成パラメータを含む１つ以上の無線リソース制御メッセージを送信することと、
前記第１の周期的リソース割り当てのアクティブ化を示すダウンリンク制御情報を送信することであって、前記ダウンリンク制御情報が、１つ以上の第１のフィールドを含む、送信することと、
ハイブリッド自動再送要求（ＨＡＲＱ）プロセス識別子に関連付けられたトランスポートブロックを、前記第１の周期的リソース割り当てに関連付けられた無線リソースを介して受信することであって、前記ＨＡＲＱ識別子が、前記１つ以上の第１のフィールドおよび前記第１の周期性パラメータに基づく、受信することと、を含む、方法。
（項目５２）
前記１つ以上の第１のフィールドが、ニューメロロジーを示す、項目５１に記載の方法。
（項目５３）
前記第１の周期性パラメータが、シンボルの数を示し、
前記１つ以上の第１のフィールドが、シンボル持続期間を示し、
前記ＨＡＲＱ識別子が、前記シンボル持続期間を前記シンボルの数で割った値に基づく第１のパラメータのフロアに基づく、項目５１または５２に記載の方法。
（項目５４）
前記第１の周期的リソース割り当て構成パラメータが、無線ネットワーク一時識別子を含む、項目５１〜５３のいずれか１項に記載の方法。
（項目５５）
前記ダウンリンク制御情報が、前記無線ネットワーク一時識別子に関連付けられている、項目５１〜５４のいずれか１項に記載の方法。
（項目５６）
前記ダウンリンク制御情報が、前記複数の前記トランスポートブロックの送信のための無線リソースを示す、項目５１〜５５のいずれか１項に記載の方法。
（項目５７）
前記無線リソースが、１つ以上の第２のフィールドに基づいて決定される、項目５１〜５６のいずれか１項に記載の方法。
（項目５８）
前記ダウンリンク制御情報が、第１の値までの１つ以上の送信持続期間を示す、項目５１〜５７のいずれか１項に記載の方法。
（項目５９）
前記１つ以上の送信持続期間における送信持続期間が、１つ以上の論理チャネルに対応する、項目５１〜５８のいずれか１項に記載の方法。
（項目６０）
前記第１の周期性パラメータが、送信時間間隔の数を示し、
前記１つ以上の第１のフィールドが、送信時間間隔の持続期間を示し、
前記ＨＡＲＱ識別子が、前記送信時間間隔の持続期間を送信時間間隔の数で割った値に基づく第１のパラメータのフロアに基づく、項目５１〜５９のいずれか１項に記載の方法。
（項目６１）
無線デバイスによって、第１の周期的リソース割り当て構成パラメータを含む１つ以上の無線リソース制御メッセージを受信することであって、前記第１の周期的リソース割り当て構成パラメータが、
第１の周期的リソース割り当ての第１の周期性パラメータ、および
第２のパラメータを含む、受信することと、
複数のトランスポートブロックを、前記第１の周期的リソース割り当てに関連付けられた無線リソースを介して送信することであって、前記第１の周期的リソース割り当ての２つの続く送信機会の間の時間間隔が、前記第２のパラメータおよび前記第１の周期性パラメータに基づく、送信することと、を含む、方法。
（項目６２）
前記第１の周期性パラメータが、シンボルの数を示し、
前記２のパラメータが、シンボル持続期間を示し、
前記２つの続く送信機会の間の時間間隔が、前記シンボルの数に前記シンボル持続期間を掛けた値に基づく、項目６１に記載の方法。
（項目６３）
前記第１の周期性パラメータが、送信時間間隔の数を示し、
前記第２のパラメータが、送信時間間隔の持続期間を示し、
前記２つの続く送信機会の間の時間間隔が、前記送信時間間隔の数に前記送信時間間隔の持続期間を掛けた値に基づく、項目６１または６２に記載の方法。
（項目６４）
無線デバイスであって、
１つ以上のプロセッサと、
命令を記憶するメモリであって、前記命令が、前記１つ以上のプロセッサによって実行されたとき、前記無線デバイスに、
第１の周期的リソース割り当て構成パラメータを含む１つ以上の無線リソース制御メッセージを受信することであって、前記第１の周期的リソース割り当て構成パラメータが、
第１の周期的リソース割り当ての第１の周期性パラメータ、および
第２のパラメータ、を含む、受信することと、
複数のトランスポートブロックを、前記第１の周期的リソース割り当てに関連付けられた無線リソースを介して送信することであって、前記第１の周期的リソース割り当ての２つの続く送信機会の間の時間間隔が、前記第２のパラメータおよび前記第１の周期性パラメータに基づく、送信することと、をさせる、メモリと、を備える、無線デバイス。
（項目６５）
前記第１の周期性パラメータが、シンボルの数を示し、
前記２のパラメータが、シンボル持続期間を示し、
前記２つの続く送信機会の間の時間間隔が、前記シンボルの数に前記シンボル持続期間を掛けた値に基づく、項目６４に記載の無線デバイス。
（項目６６）
前記第１の周期性パラメータが、送信時間間隔の数を示し、
前記２のパラメータが、送信時間間隔の持続期間を示し、
前記２つの続く送信機会の間の時間間隔が、前記送信時間間隔の数に前記送信時間間隔の持続期間を掛けた値に基づく、項目６４または６５に記載の無線デバイス。
（項目６７）
基地局によって、第１の周期的リソース割り当て構成パラメータを含む１つ以上の無線リソース制御メッセージを送信することであって、前記第１の周期的リソース割り当て構成パラメータが、
第１の周期的リソース割り当ての第１の周期性パラメータ、および
第２のパラメータを含む、送信することと、
複数のトランスポートブロックを、前記第１の周期的リソース割り当てに関連付けられた無線リソースを介して受信することであって、前記第１の周期的リソース割り当ての２つの続く送信機会の間の時間間隔が、前記第２のパラメータおよび前記第１の周期性パラメータに基づく、受信することと、を含む、方法。
（項目６８）
前記第１の周期性パラメータが、シンボルの数を示し、
前記２のパラメータが、シンボル持続期間を示し、
前記２つの続く送信機会の間の時間間隔が、前記シンボルの数に前記シンボル持続期間を掛けた値に基づく、項目６７に記載の方法。
（項目６９）
前記第１の周期性パラメータが、送信時間間隔の数を示し、
前記第２のパラメータが、送信時間間隔の持続期間を示し、
前記２つの続く送信機会の間の時間間隔が、前記送信時間間隔の数に前記送信時間間隔の持続期間を掛けた値に基づく、項目６７または５８に記載の方法。
【図面の簡単な説明】
【０００３】
本発明の様々な実施形態のいくつかの例は、図面を参照して本明細書で説明される。
【０００４】
【図１】本発明の実施形態の態様による、ＯＦＤＭサブキャリアの例示的なセットを示す図である。
【図２】本発明の実施形態の態様による、キャリアグループ内の２つのキャリアの例示的な送信時間および受信時間を示す図である。
【図３】本発明の実施形態の態様による、ＯＦＤＭ無線リソースを示す図である。
【図４】本発明の実施形態の態様による、基地局および無線デバイスのブロック図である。
【図５Ａ】本発明の実施形態の態様による、アップリンクおよびダウンリンク信号送信の例示的な図である。
【図５Ｂ】本発明の実施形態の態様による、アップリンクおよびダウンリンク信号送信の例示的な図である。
【図５Ｃ】本発明の実施形態の態様による、アップリンクおよびダウンリンク信号送信の例示的な図である。
【図５Ｄ】本発明の実施形態の態様による、アップリンクおよびダウンリンク信号送信の例示的な図である。
【図６】本発明の実施形態の態様による、マルチ接続を有するプロトコル構造の例示的な図である。
【図７】本発明の実施形態の態様による、ＣＡおよびＤＣを有するプロトコル構造の例示的な図である。
【図８】本発明の実施形態の態様による、例示的なＴＡＧ構成を示す図である。
【図９】本発明の実施形態の態様による、セカンダリＴＡＧのランダムアクセスプロセスでの例示的なメッセージフローである。
【図１０Ａ】本発明の実施形態の態様による、５Ｇコアネットワーク（例えばＮＧＣ）と基地局（例えばｇＮＢおよびｅＬＴＥ  ｅＮＢ）との間のインターフェースの例示的な図である。
【図１０Ｂ】本発明の実施形態の態様による、５Ｇコアネットワーク（例えばＮＧＣ）と基地局（例えばｇＮＢおよびｅＬＴＥ  ｅＮＢ）との間のインターフェースの例示的な図である。
【図１１Ａ】本発明の実施形態の態様による、５Ｇ  ＲＡＮ（例えば、ｇＮＢ）とＬＴＥ  ＲＡＮ（例えば、（ｅ）ＬＴＥ  ｅＮＢ）との間の密なインターワーキングのアーキテクチャの例示的な図である。
【図１１Ｂ】本発明の実施形態の態様による、５Ｇ  ＲＡＮ（例えば、ｇＮＢ）とＬＴＥ  ＲＡＮ（例えば、（ｅ）ＬＴＥ  ｅＮＢ）との間の密なインターワーキングのアーキテクチャの例示的な図である。
【図１１Ｃ】本発明の実施形態の態様による、５Ｇ  ＲＡＮ（例えば、ｇＮＢ）とＬＴＥ  ＲＡＮ（例えば、（ｅ）ＬＴＥ  ｅＮＢ）との間の密なインターワーキングのアーキテクチャの例示的な図である。
【図１１Ｄ】本発明の実施形態の態様による、５Ｇ  ＲＡＮ（例えば、ｇＮＢ）とＬＴＥ  ＲＡＮ（例えば、（ｅ）ＬＴＥ  ｅＮＢ）との間の密なインターワーキングのアーキテクチャの例示的な図である。
【図１１Ｅ】本発明の実施形態の態様による、５Ｇ  ＲＡＮ（例えば、ｇＮＢ）とＬＴＥ  ＲＡＮ（例えば、（ｅ）ＬＴＥ  ｅＮＢ）との間の密なインターワーキングのアーキテクチャの例示的な図である。
【図１１Ｆ】本発明の実施形態の態様による、５Ｇ  ＲＡＮ（例えば、ｇＮＢ）とＬＴＥ  ＲＡＮ（例えば、（ｅ）ＬＴＥ  ｅＮＢ）との間の密なインターワーキングのアーキテクチャの例示的な図である。
【図１２Ａ】本発明の実施形態の態様による、密なインターワーキングベアラの無線プロトコル構造の例示的な図である。
【図１２Ｂ】本発明の実施形態の態様による、密なインターワーキングベアラの無線プロトコル構造の例示的な図である。
【図１２Ｃ】本発明の実施形態の態様による、密なインターワーキングベアラの無線プロトコル構造の例示的な図である。
【図１３Ａ】本発明の実施形態の態様による、ｇＮＢ展開シナリオの例示的な図である。
【図１３Ｂ】本発明の実施形態の態様による、ｇＮＢ展開シナリオの例示的な図である。
【図１４】本発明の実施形態の態様による、集中型ｇＮＢ展開シナリオの機能分割オプションの例の例示的な図である。
【図１５】本開示の実施形態の態様による、周期的リソース割り当て手順である。
【図１６】本開示の実施形態の態様による、周期的リソース割り当て手順である。
【図１７】本開示の実施形態の態様によるフロー図である。
【図１８】本開示の実施形態の態様によるフロー図である。
【図１９】本開示の実施形態の態様によるフロー図である。
【図２０】本開示の実施形態の態様によるフロー図である。
【図２１】本開示の実施形態の態様によるフロー図である。
【図２２】本開示の実施形態の態様によるフロー図である。
【発明を実施するための形態】
【０００５】
以下の頭字語は、本開示全体で使用される。
【表１−１】
0006788244.tif 000002
【表１−２】
0006788244.tif 000003
【表１−３】
0006788244.tif 000004
【表１−４】
0006788244.tif 000005
【０００６】
本発明の例示的な実施形態は、様々な物理層変調および送信メカニズムを使用して実装され得る。例示的な送信メカニズムには、ＣＤＭＡ、ＯＦＤＭ、ＴＤＭＡ、ウェーブレット技術などを含むことができるが、これらに限定されない。ＴＤＭＡ／ＣＤＭＡおよびＯＦＤＭ／ＣＤＭＡなどのハイブリッド送信メカニズムも使用できる。物理層での信号送信には、様々な変調方式が適用され得る。変調方式の例には、位相、振幅、コード、これらの組み合わせなどが含まれるが、これらに限定されない。例示的な無線送信方法は、ＢＰＳＫ、ＱＰＳＫ、１６−ＱＡＭ、６４−ＱＡＭ、２５６−ＱＡＭなどを使用してＱＡＭを実装し得る。物理的な無線送信は、送信要件および無線条件に応じて変調およびコーディング方式を動的または半動的に変更することにより強化され得る。
【０００７】
図１は、本発明の実施形態の態様によるＯＦＤＭサブキャリアの例示的なセットを示す図である。この例に示すように、図中の矢印（複数可）は、マルチキャリアＯＦＤＭシステムのサブキャリアを示し得る。ＯＦＤＭシステムは、ＯＦＤＭ技術、ＤＦＴＳ−ＯＦＤＭ、ＳＣ−ＯＦＤＭ技術などの技術を使用し得る。例えば、矢印１０１は、情報シンボルを送信するサブキャリアを示す。図１は例示を目的とするものであり、典型的なマルチキャリアＯＦＤＭシステムは、キャリアにより多くのサブキャリアを含み得る。例えば、キャリア内のサブキャリアの数は、１０〜１０，０００のサブキャリアの範囲であり得る。図１は、送信帯域内の２つの保護帯域１０６および１０７を示す。図１に示すように、保護帯域１０６は、サブキャリア１０３とサブキャリア１０４との間にある。サブキャリアＡ１０２の例示的なセットは、サブキャリア１０３およびサブキャリア１０４を含む。図１は、サブキャリアＢ１０５の例示的なセットも示す。図示のように、サブキャリアＢ１０５の例示的なセットの任意の２つのサブキャリア間に保護帯域はない。マルチキャリアＯＦＤＭ通信システムのキャリアは、連続キャリア、非連続キャリア、または連続キャリアおよび非連続キャリアの両方の組み合わせであり得る。
【０００８】
図２は、本発明の実施形態の態様による、２つのキャリアの例示的な送信時間および受信時間を示す図である。マルチキャリアＯＦＤＭ通信システムは、例えば１〜１０のキャリアの範囲の１つ以上のキャリアを含み得る。キャリアＡ２０４およびキャリアＢ２０５は、同じまたは異なるタイミング構造を有し得る。図２は、２つの同期されたキャリアを示しているが、キャリアＡ２０４およびキャリアＢ２０５は互いに同期されていてもされていなくてもよい。ＦＤＤおよびＴＤＤデュプレックスメカニズムでは、異なる無線フレーム構造がサポートされ得る。図２は、例示的なＦＤＤフレームタイミングを示す。ダウンリンクおよびアップリンク送信は、無線フレーム２０１に編成され得る。この例では、無線フレームの持続期間は、１０ミリ秒である。例えば、１〜１００ミリ秒の範囲の他のフレーム持続期間もサポートされ得る。この例では、各１０ｍｓ無線フレーム２０１は、１０の同じサイズのサブフレーム２０２に分割され得る。０．５ミリ秒、１ミリ秒、２ミリ秒、および５ミリ秒など、他のサブフレーム持続期間もサポートされ得る。サブフレーム（複数可）は、２つ以上のスロット（例えばスロット２０６および２０７）で構成され得る。ＦＤＤの例では、１０ｍｓ間隔ごとに、１０のサブフレームがダウンリンク送信に利用可能であり得、１０のサブフレームがアップリンク送信に利用可能であり得る。アップリンクおよびダウンリンク送信は、周波数ドメインで分離され得る。スロットは、通常のＣＰで最大６０ｋＨｚの同じサブキャリアスペーシングで７または１４ＯＦＤＭシンボルになり得る。スロットは、通常のＣＰで６０ｋＨｚ超える同じサブキャリアスペーシングで１４ＯＦＤＭシンボルになり得る。スロットは、全てのダウンリンク、全てのアップリンク、またはダウンリンクの一部およびアップリンクの一部などを含み得る。スロットアグリゲーションをサポートし得、例えば、１つまたは複数のスロットにまたがるようにデータ送信をスケジュールし得る。一例では、ミニスロットは、サブフレーム内のＯＦＤＭシンボルで開始し得る。ミニスロットは、１つ以上のＯＦＤＭシンボルの持続期間を有し得る。スロット（複数可）は、複数のＯＦＤＭシンボル２０３を含み得る。スロット２０６内のＯＦＤＭシンボル２０３の数は、サイクリックプレフィックス長およびサブキャリスペーシングに依存し得る。
【０００９】
図３は、本発明の実施形態の態様によるＯＦＤＭ無線リソースを示す図である。時間３０４および周波数３０５におけるリソースグリッド構造が図３に示されている。ダウンリンクサブキャリアまたはＲＢの量は、少なくとも部分的に、セル内で構成されたダウンリンク送信帯域幅３０６に依存し得る。最小の無線リソース単位は、リソース要素（例えば３０１）と称され得る。リソース要素は、リソースブロック（例えば３０２）にグループ化され得る。リソースブロックは、リソースブロックグループ（ＲＢＧ）（例えば３０３）と称されるより大きな無線リソースにグループ化され得る。スロット２０６内の送信信号は、複数のサブキャリアおよび複数のＯＦＤＭシンボルの１つまたはいくつかのリソースグリッドによって記述され得る。リソースブロックは、特定の物理チャネルからリソース要素へのマッピングを記述するために使用され得る。物理リソース要素の他の事前定義されたグループ化は、無線技術に応じてシステムに実装され得る。例えば、２４のサブキャリアを５ミリ秒の持続期間の間、無線ブロックとしてグループ化し得る。例示的な例では、リソースブロックは、時間ドメインの１つのスロットおよび周波数ドメインの１８０ｋＨｚに対応し得る（１５ＫＨｚのサブキャリア帯域幅および１２のサブキャリアの場合）。
【００１０】
例示的な実施形態では、複数のニューメロロジーがサポートされ得る。一例では、ニューメロロジーは、整数Ｎで基本的なサブキャリアスペーシングをスケーリングすることによって導出され得る。一例では、スケーリング可能なニューメロロジーは、少なくとも１５ＫＨｚ〜４８０ＫＨｚのサブキャリアスペーシングが可能となり得る。１５ｋＨｚのニューメロロジー、および同じＣＰオーバーヘッドを有する異なるサブキャリアスペーシングのスケーリングされたニューメロロジーは、ＮＲキャリアで１ｍｓごとにシンボル境界で整列し得る。
【００１１】
図５Ａ、図５Ｂ、図５Ｃ、および図５Ｄは、本発明の実施形態の態様によるアップリンクおよびダウンリンク信号送信の例示的な図である。図５Ａは、例示的なアップリンク物理チャネルを示す。物理アップリンク共有チャネルを表すベースバンド信号は、以下のプロセスを実施し得る。これらの機能は例として示されており、様々な実施形態で他のメカニズムを実装し得ることが予想される。機能には、スクランブル、スクランブルビットの変調による複素数値シンボルの生成、複素数値変調シンボルの１つまたはいくつかの送信層へのマッピング、プリコーディングの変換による複素数値シンボルの生成、複素数値シンボルのプリコーディング、プリコーディングされた複素数値シンボルのリソース要素へのマッピング、各アンテナポートの複素数値時間ドメインＤＦＴＳ−ＯＦＤＭ／ＳＣ−ＦＤＭＡ信号の生成などが含まれ得る。
【００１２】
各アンテナポートの複素数値ＤＦＴＳ−ＯＦＤＭ／ＳＣ−ＦＤＭＡベースバンド信号および／または複素数値ＰＲＡＣＨベースバンド信号のキャリア周波数への変調およびアップコンバージョンの例を図５Ｂに示す。送信の前にフィルタリングを用いてもよい。
【００１３】
ダウンリンク送信の構造例は、図５Ｃに示されている。ダウンリンク物理チャネルを表すベースバンド信号は、以下のプロセスを実施し得る。これらの機能は例として示されており、様々な実施形態で他のメカニズムが実装され得ることが予想される。機能には、物理チャネルで送信されるコードワードの各々のコード化ビットのスクランブル、スクランブルビットの変調による複素数値シンボルの生成、複素数値変調シンボルの１つまたはいくつかの送信層へのマッピング、アンテナポートで送信するための各層の複素数値変調シンボルのプリコーディング、各アンテナポートの複素数値変調シンボルのリソース要素へのマッピング、各アンテナポートの複素数値時間ドメインＯＦＤＭ信号の生成などが含まれる。
【００１４】
各アンテナポートの複素数値ＯＦＤＭベースバンド信号のキャリア周波数への変調およびアップコンバージョンの例を、図５Ｄに示す。送信の前にフィルタリングを用いてもよい。
【００１５】
図４は、本発明の実施形態の態様による基地局４０１および無線デバイス４０６の例示的なブロック図である。通信ネットワーク４００は、少なくとも１つの基地局４０１および少なくとも１つの無線デバイス４０６を含み得る。基地局４０１は、少なくとも１つの通信インターフェース４０２、少なくとも１つのプロセッサ４０３、および非一時的メモリ４０４に記憶され、少なくとも１つのプロセッサ４０３によって実行可能なプログラムコード命令４０５の少なくとも１つのセットを含み得る。無線デバイス４０６は、少なくとも１つの通信インターフェース４０７、少なくとも１つのプロセッサ４０８、および非一時的メモリ４０９に記憶され、少なくとも１つのプロセッサ４０８によって実行可能なプログラムコード命令４１０の少なくとも１つのセットを含み得る。基地局４０１の通信インターフェース４０２は、少なくとも１つの無線リンク４１１を含む通信経路を介して無線デバイス４０６の通信インターフェース４０７との通信に従事するように構成され得る。無線リンク４１１は、双方向リンクであり得る。無線デバイス４０６の通信インターフェース４０７は、基地局４０１の通信インターフェース４０２との通信に従事するように構成され得る。基地局４０１および無線デバイス４０６は、複数の周波数キャリアを使用して無線リンク４１１にわたってデータを送受信するように構成され得る。実施形態の様々な態様のうちのいくつかによれば、トランシーバ（複数可）が用いられてもよい。トランシーバは、送信機および受信機の両方を含むデバイスである。トランシーバは、無線デバイス、基地局、中継ノードなどのデバイスで用いられ得る。通信インターフェース４０２、４０７および無線リンク４１１に実装される無線技術の例示的な実施形態は、図１、図２、図３、図５、および関連付けられるテキストで示されている。
【００１６】
インターフェースは、ハードウェアインターフェース、ファームウェアインターフェース、ソフトウェアインターフェース、および／またはそれらの組み合わせであり得る。ハードウェアインターフェースは、コネクタ、ワイヤ、電子デバイス、例えばドライバ、増幅器などを含み得る。ソフトウェアインターフェースは、プロトコル（複数可）、プロトコル層、通信ドライバ、デバイスドライバ、それらの組み合わせなどを実装するためにメモリデバイスに記憶されたコードを含み得る。ファームウェアインターフェースには、接続、電子デバイス操作、プロトコル（複数可）、プロトコル層、通信ドライバ、デバイスドライバ、ハードウェア操作、それらの組み合わせなどを実装するためにメモリデバイスに記憶され、かつ／またはそれと通信する、埋め込まれたハードウェアおよびコードの組み合わせが含まれ得る。
【００１７】
用語「構成される」は、デバイスが動作状態にあるか非動作状態にあるかにかかわらず、デバイスの容量に関連し得る。「構成される」とは、デバイスが動作状態にあるか非動作状態にあるかにかかわらず、デバイスの動作特性に影響するデバイスの特定の設定を指す場合もある。言い換えれば、ハードウェア、ソフトウェア、ファームウェア、レジスタ、メモリ値などは、デバイスに特定の特性を提供するために、デバイスが動作状態にあるか非動作状態にあるかにかかわらず、デバイス内で「構成」され得る。「デバイスで発生する制御メッセージ」などの用語は、デバイスが動作状態にあるか非動作状態にあるかにかかわらず、制御メッセージがデバイスの特定の特性を構成するために使用できるパラメータがあることを意味し得る。
【００１８】
実施形態の様々な態様のいくつかによれば、５Ｇネットワークは、多数の基地局を含むことができ、ユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を無線デバイスに提供する。基地局（複数可）は、他の基地局（複数可）と相互接続され得る（例えばＸｎインターフェースを用いる）。基地局はまた、例えばＮＧＣへのＮＧインターフェースを用いて接続され得る。図１０Ａおよび図１０Ｂは、本発明の実施形態の態様による５Ｇコアネットワーク（例えばＮＧＣ）と基地局（例えばｇＮＢおよびｅＬＴＥ  ｅＮＢ）との間のインターフェースの例示的な図である。例えば、基地局は、ＮＧ−Ｃインターフェースを用いるＮＧＣ制御プレーン（例えばＮＧ  ＣＰ）およびＮＧ−Ｕインターフェースを用いるＮＧＣユーザプレーン（例えばＵＰＧＷ）に相互接続され得る。ＮＧインターフェースは、５Ｇコアネットワークと基地局との間の多対多の関係をサポートし得る。
【００１９】
基地局には、例えば、１、２、３、４、または６つのセクターの、多くのセクターが含まれ得る。基地局は、例えば１〜５０以上のセルの範囲の多くのセルを含み得る。セルは、例えば、プライマリセルまたはセカンダリセルとして分類され得る。ＲＲＣ接続の確立／再確立／ハンドオーバーでは、１つのサービングセルがＮＡＳ（非アクセス層）モビリティ情報（例えばＴＡＩ）を提供し、ＲＲＣ接続の再確立／ハンドオーバーでは、１つのサービングセルがセキュリティ入力を提供し得る。このセルは、プライマリセル（ＰＣｅｌｌ）と称され得る。ダウンリンクでは、ＰＣｅｌｌに対応するキャリアは、ダウンリンクプライマリコンポーネントキャリア（ＤＬ  ＰＣＣ）であり得、アップリンクでは、アップリンクプライマリコンポーネントキャリア（ＵＬ  ＰＣＣ）であり得る。無線デバイスの機能に応じて、セカンダリセル（ＳＣｅｌｌ）は、ＰＣｅｌｌとサービングセルのセットを形成するように構成され得る。ダウンリンクでは、ＳＣｅｌｌに対応するキャリアは、ダウンリンクセカンダリコンポーネントキャリア（ＤＬ  ＳＣＣ）であり得、アップリンクでは、アップリンクセカンダリコンポーネントキャリア（ＵＬ  ＳＣＣ）であり得る。ＳＣｅｌｌには、アップリンクキャリアを有しても有しなくてもよい。
【００２０】
ダウンリンクキャリアと任意選択のアップリンクキャリアとを含むセルには、物理セルＩＤおよびセルインデックスが割り当てられ得る。キャリア（ダウンリンクまたはアップリンク）は、１つのセルのみに属し得る。セルＩＤまたはセルインデックスはまた、セルのダウンリンクキャリアまたはアップリンクキャリアも識別し得る（使用されるコンテキストに応じて）。本明細書では、セルＩＤは、キャリアＩＤと同等に呼ばれ得、セルインデックスは、キャリアインデックスと呼ばれ得る。実装では、物理セルＩＤまたはセルインデックスがセルに割り当てられ得る。セルＩＤは、ダウンリンクキャリアで送信される同期信号を使用して決定され得る。セルインデックスは、ＲＲＣメッセージを使用して決定され得る。例えば、明細書が第１のダウンリンクキャリアの第１の物理セルＩＤに言及する場合、明細書は、第１のダウンリンクキャリアを含むセルの第１の物理セルＩＤを意味し得る。同じ概念が、例えば、キャリアアクティブ化に適用し得る。明細書が、第１のキャリアがアクティブ化されていることを示す場合、明細書は、第１のキャリアを含むセルがアクティブ化されていることを同等に意味し得る。
【００２１】
実施形態は、必要に応じて動作するように構成され得る。開示されたメカニズムは、例えば、無線デバイス、基地局、無線環境、ネットワーク、上記の組み合わせなどで、特定の基準が満たされたときに実施され得る。例示的な基準は、例えば、トラフィック負荷、初期システム設定、パケットサイズ、トラフィック特性、上記の組み合わせなどに少なくとも部分的に基づき得る。１つ以上の基準が満たされると、様々な例示的な実施形態が適用され得る。したがって、開示されたプロトコルを選択的に実装する例示的な実施形態を実装することが可能であり得る。
【００２２】
基地局は、様々な無線デバイスと通信し得る。無線デバイスは、複数のテクノロジー、および／または同じテクノロジーの複数のリリースをサポートし得る。無線デバイスは、その無線デバイスのカテゴリおよび／または機能（複数可）に応じて、特定の機能（複数可）を有し得る。基地局は、複数のセクターを備え得る。本開示が複数の無線デバイスと通信する基地局に言及するとき、本開示は、カバレッジエリア内の全無線デバイスのサブセットに言及し得る。本開示は、例えば、所与の機能を備え、基地局の所与のセクター内にある所与のＬＴＥまたは５Ｇリリースの複数の無線デバイスに言及し得る。本開示における複数の無線デバイスは、選択された複数の無線デバイス、および／または開示された方法などに従って実施するカバレッジエリア内の全無線デバイスのサブセットを指し得る。カバレッジエリアには、開示された方法に準拠しない可能性がある複数の無線デバイスが存在する場合があり、これは、例えばこれらの無線デバイスがＬＴＥまたは５Ｇテクノロジーの古いリリースに基づいて実施するためである。
【００２３】
図６および図７は、本発明の一実施形態の態様による、ＣＡおよび多重接続を有するプロトコル構造の例示的な図である。ＮＲは、ＲＲＣ＿ＣＯＮＮＥＣＴＥＤ内の複数のＲＸ／ＴＸ  ＵＥが、Ｘｎインターフェース上の非理想的または理想的なバックホールを介して接続された複数のｇＮＢに位置する複数のスケジューラによって提供される無線リソースを利用するように構成できる、多重接続動作をサポートし得る。特定のＵＥの多重接続に関与するｇＮＢは、２つの異なる役割を想定し得る：ｇＮＢは、マスターｇＮＢとしてまたはセカンダリｇＮＢとしてのいずれかで機能し得る。多重接続では、ＵＥは、１つのマスターｇＮＢと１つ以上のセカンダリｇＮＢに接続され得る。図７は、マスターセルグループ（ＭＣＧ）およびセカンダリセルグループ（ＳＣＧ）が構成されたときのＵＥ側ＭＡＣエンティティの構造の一例を示、これは、実装を制限しない場合がある。メディアブロードキャストマルチキャストサービス（ＭＢＭＳ）受信は、簡単にするためにこの図には示されていない。
【００２４】
多重接続では、特定のベアラが使用する無線プロトコルアーキテクチャは、ベアラの設定方法に従い得る。図６に示されるように、ＭＣＧベアラ、ＳＣＧベアラ、およびスプリットベアラの３つの代替案が存在し得る。ＮＲ  ＲＲＣは、マスターｇＮＢに位置し得、ＳＲＢは、ＭＣＧベアラタイプとして構成され得、マスターｇＮＢの無線リソースを使用し得る。多重接続はまた、セカンダリｇＮＢによって提供される無線リソースを使用するように構成された少なくとも１つのベアラを有するものとして説明され得る。本発明の例示的な実施形態では、多重接続が構成／実装されていてもされていなくてもよい。
【００２５】
多重接続の場合、ＵＥは、複数のＮＲ  ＭＡＣエンティティで構成され得、一方はマスターｇＮＢのＮＲ  ＭＡＣエンティティ、他方はセカンダリｇＮＢのＮＲ  ＭＡＣエンティティである。多重接続では、ＵＥ用に構成されたサービングセルのセットは、２つのサブセットを含み得る：マスターｇＮＢのサービングセルを含むマスターセルグループ（ＭＣＧ）、およびセカンダリｇＮＢのサービングセルを含むセカンダリセルグループ（ＳＣＧ）である。ＳＣＧの場合、以下のうちの１つ以上が適用され得る：ＳＣＧの少なくとも１つのセルが構成されたＵＬ  ＣＣを有し、ＰＳＣｅｌｌ（またはＳＣＧのＰＣｅｌｌ、またはＰＣｅｌｌと称される）という名前のそれらのうちの１つは、ＰＵＣＣＨリソースで構成されている；ＳＣＧが構成されているとき、少なくとも１つのＳＣＧベアラもしくは１つのスプリットベアラがあり得る；ＰＳＣｅｌｌでの物理層の問題もしくはランダムアクセスの問題の検出時、またはＳＣＧに関連付けられるＮＲ  ＲＬＣ再送信の最大数に到達したとき、またはＳＣＧの追加もしくはＳＣＧの変更中のＰＳＣｅｌｌでのアクセス問題の検出時に：ＲＲＣ接続の再確立手順がトリガされない場合があり、ＳＣＧのセルへのＵＬ送信が停止され、マスターｇＮＢは、ＳＣＧ障害タイプのＵＥによって通知される場合があり、スプリットベアラの場合、マスターｇＮＢにわたるＤＬデータ転送が維持され、ＮＲ  ＲＬＣ  ＡＭベアラは、スプリットベアラ用に構成され得る；ＰＣｅｌｌと同様に、ＰＳＣｅｌｌは非アクティブ化されない場合がある；ＰＳＣｅｌｌは、ＳＣＧの変更（例えばセキュリティキーの変更およびＲＡＣＨ手順）によって変更され得る；ならびに／またはスプリットベアラとＳＣＧベアラとの間の直接ベアラタイプの変更、もしくはＳＣＧおよびスプリットベアラの同時構成が、サポートされる場合とされない場合がある。
【００２６】
マルチ接続のためのマスターｇＮＢとセカンダリｇＮＢとの間の相互作用に関しては、以下の原則のうちの１つ以上が適用され得る：マスターｇＮＢは、ＵＥのＲＲＭ測定構成を維持し得、（例えば、受信した測定レポートまたはトラフィック条件またはベアラタイプに基づいて）セカンダリｇＮＢにＵＥに追加のリソース（サービングセル）を提供するように依頼することを判断し得る；マスターｇＮＢから要求を受信すると、セカンダリｇＮＢは、ＵＥの追加のサービングセルの構成をもたらし得るコンテナを作成し（または、そうすることが利用可能なリソースがないと判断し）得る；ＵＥ機能調整の場合、マスターｇＮＢは、ＡＳ構成およびＵＥ機能（その一部の）をセカンダリｇＮＢに提供し得る；マスターｇＮＢおよびセカンダリｇＮＢは、Ｘｎメッセージで担持されるＮＲ  ＲＲＣコンテナ（ノード間メッセージ）を用いることにより、ＵＥ構成に関する情報を交換し得る；セカンダリｇＮＢは、既存のサービングセルの再構成を開始し得る（例えば、セカンダリｇＮＢへのＰＵＣＣＨ）；セカンダリｇＮＢは、どのセルがＳＣＧ内のＰＳＣｅｌｌであるかを判断し得る；マスターｇＮＢは、セカンダリｇＮＢによって提供されるＮＲ  ＲＲＣ構成の内容を変更する場合と変更しない場合がある；ＳＣＧの追加およびＳＣＧ  ＳＣｅｌｌの追加の場合、マスターｇＮＢは、ＳＣＧセル（複数可）の最新の測定結果を提供し得る；マスターｇＮＢおよびセカンダリｇＮＢの両方は、ＯＡＭによって互いのＳＦＮおよびサブフレームオフセットを認知し得る（例えば、ＤＲＸアライメントと測定ギャップの識別のため）。一例では、新しいＳＣＧ  ＳＣｅｌｌを追加する場合、ＳＣＧのＰＳＣｅｌｌのＭＩＢから取得したＳＦＮを除き、ＣＡに関してセルの必要なシステム情報を送るために、専用ＮＲ  ＲＲＣシグナリングを使用し得る。
【００２７】
一例では、サービングセルは、ＴＡグループ（ＴＡＧ）にグループ化され得る。１つのＴＡＧのサービングセルは、同じタイミング基準を使用し得る。所与のＴＡＧに対して、ユーザ機器（ＵＥ）は少なくとも１つのダウンリンクキャリアをタイミング基準として使用し得る。所与のＴＡＧに対して、ＵＥは、同じＴＡＧに属するアップリンクキャリアのアップリンクサブフレームおよびフレーム送信タイミングを同期し得る。一例では、同じＴＡが適用されるアップリンクを有するサービングセルは、同じ受信機によってホストされるサービングセルに対応し得る。複数のＴＡをサポートするＵＥは、２つ以上のＴＡグループをサポートし得る。１つのＴＡグループはＰＣｅｌｌが含み得、これはプライマリＴＡＧ（ｐＴＡＧ）と称され得る。複数のＴＡＧ構成では、少なくとも１つのＴＡグループはＰＣｅｌｌを含まない場合があり、これはセカンダリＴＡＧ（ｓＴＡＧ）と称され得る。一例では、同じＴＡグループ内のキャリアは、同じＴＡ値および／または同じタイミング基準を使用し得る。ＤＣが構成されているとき、セルグループ（ＭＣＧまたはＳＣＧ）に属するセルは、ｐＴＡＧと１つ以上のｓＴＡＧを含む複数のＴＡＧにグループ化され得る。
【００２８】
図８は、本発明の実施形態の態様による例示的なＴＡＧ構成を示す。例１では、ｐＴＡＧは、ＰＣｅｌｌを含み、ｓＴＡＧは、ＳＣｅｌｌ１を含む。例２では、ｐＴＡＧは、ＰＣｅｌｌおよびＳＣｅｌｌ１を含み、ｓＴＡＧは、ＳＣｅｌｌ２およびＳＣｅｌｌ３を含む。例３では、ｐＴＡＧはＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。セルグループ（ＭＣＧまたはＳＣＧ）で最大４つのＴＡＧがサポートされ得、他のＴＡＧ構成例も提供され得る。本開示の様々な例では、例示的なメカニズムがｐＴＡＧおよびｓＴＡＧについて説明されている。メカニズムの例のいくつかは、複数のｓＴＡＧを持つ構成に適用され得る
【００２９】
一例では、ｅＮＢは、アクティブ化されたＳＣｅｌｌに対するＰＤＣＣＨ指令を介してＲＡ手順を開始し得る。このＰＤＣＣＨ指令は、このＳＣｅｌｌのスケジューリングセルで送られ得る。セルにクロスキャリアスケジューリングが構成されているとき、スケジューリングセルは、プリアンブル送信に用いられるセルとは異なり得、ＰＤＣＣＨ指令にはＳＣｅｌｌインデックスが含まれ得る。少なくとも非コンテンションベースのＲＡ手順は、ｓＴＡＧ（複数可）に割り当てられたＳＣｅｌｌ（複数可）でサポートされ得る。
【００３０】
図９は、本発明の実施形態の態様によるセカンダリＴＡＧのランダムアクセスプロセスでのメッセージフローの例である。ｅＮＢは、アクティブ化コマンド６００を送信して、ＳＣｅｌｌをアクティブ化する。プリアンブル６０２（Ｍｓｇ１）は、ｓＴＡＧに属するＳＣｅｌｌ上のＰＤＣＣＨ指令６０１に応答してＵＥによって送信され得る。例示的な実施形態では、ＳＣｅｌｌのプリアンブル送信は、ＰＤＣＣＨフォーマット１Ａを使用するネットワークによって制御され得る。ＳＣｅｌｌ上のプリアンブル送信に応答するＭｓｇ２メッセージ６０３（ＲＡＲ：ランダムアクセス応答）は、ＰＣｅｌｌ共通探索空間（ＣＳＳ）内のＲＡ−ＲＮＴＩにアドレス指定され得る。アップリンクパケット６０４は、プリアンブルが送信されたＳＣｅｌｌ上で送信され得る。
【００３１】
実施形態の様々な態様のいくつかによれば、ランダムアクセス手順により初期タイミングアライメントを達成することができる。これは、ランダムアクセスプリアンブルを送信するＵＥと、ランダムアクセス応答ウィンドウ内で初期ＴＡコマンドＮＴＡ（タイミングアドバンスの量）で応答するｅＮＢとを伴い得る。ランダムアクセスプリアンブルの開始は、ＮＴＡ＝０を想定して、ＵＥでの対応するアップリンクサブフレームの開始と整列され得る。ｅＮＢは、ＵＥによって送信されたランダムアクセスプリアンブルからアップリンクタイミングを推定し得る。ＴＡコマンドは、所望のＵＬタイミングと実際のＵＬタイミングとの間の差の推定に基づいてｅＮＢによって導出され得る。ＵＥは、プリアンブルが送信されるｓＴＡＧの対応するダウンリンクに対する初期アップリンク送信タイミングを決定し得る。
【００３２】
サービングセルのＴＡＧへのマッピングは、ＲＲＣシグナリングを有するサービングｅＮＢによって構成され得る。ＴＡＧ構成および再構成のメカニズムは、ＲＲＣシグナリングに基づき得る。実施形態の様々な態様のうちのいくつかによれば、ｅＮＢがＳＣｅｌｌ追加構成を実施するとき、関連するＴＡＧ構成がＳＣｅｌｌ用に構成され得る。例示的な実施形態では、ｅＮＢは、ＳＣｅｌｌを除去（解放）し、更新されたＴＡＧ  ＩＤで新しいＳＣｅｌｌ（同じ物理セルＩＤおよび周波数を有する）を追加（構成）することにより、ＳＣｅｌｌのＴＡＧ構成を変更することができる。更新されたＴＡＧ  ＩＤを持つ新しいＳＣｅｌｌは、更新されたＴＡＧ  ＩＤが割り当てられた後、最初は非アクティブであり得る。ｅＮＢは、更新された新しいＳＣｅｌｌをアクティブ化し、アクティブ化されたＳＣｅｌｌ上でパケットのスケジューリングを開始し得る。実装例では、ＳＣｅｌｌに関連付けられたＴＡＧを変更し得ないが、ＳＣｅｌｌを削除し、新しいＳＣｅｌｌを別のＴＡＧに追加する必要があり得る。例えば、ＳＣｅｌｌをｓＴＡＧからｐＴＡＧに移動する必要がある場合、少なくとも１つのＲＲＣメッセージ、例えば、少なくとも１つのＲＲＣ再構成メッセージをＵＥに送り、ＳＣｅｌｌを解放し、ｐＴＡＧの一部としてＳＣｅｌｌを構成することにより、ＴＡＧ構成を再構成し得る（ＳＣｅｌｌが、ＴＡＧインデックスなしで追加／構成されるとき、ＳＣｅｌｌは、明示的にｐＴＡＧに割り当てられ得る）。ＰＣｅｌｌは、そのＴＡグループを変更し得ず、ｐＴＡＧのメンバーであり得る。
【００３３】
ＲＲＣ接続再構成手順の目的は、ＲＲＣ接続を変更することであり得る（例えば、ＲＢを確立、変更、および／または解放し、ハンドオーバーを実施し、測定を設定、変更、および／または解放し、ＳＣｅｌｌを追加、変更、および／または解放する）。受信したＲＲＣ接続再構成メッセージにｓＣｅｌｌＴｏＲｅｌｅａｓｅＬｉｓｔが含まれている場合、ＵＥは、ＳＣｅｌｌリリースを実施し得る。受信したＲＲＣ接続再構成メッセージにｓＣｅｌｌＴｏＡｄｄＭｏｄＬｉｓｔが含まれている場合、ＵＥは、ＳＣｅｌｌの追加または変更を実施し得る。
【００３４】
ＬＴＥリリース１０およびリリース１１ＣＡでは、ＰＵＣＣＨは、ＰＣｅｌｌ（ＰＳＣｅｌｌ）でのみｅＮＢに送信される。ＬＴＥリリース１２以前では、ＵＥは、１つのセル（ＰＣｅｌｌまたはＰＳＣｅｌｌ）でＰＵＣＣＨ情報を所与のｅＮＢに送信し得る。
【００３５】
ＣＡ対応ＵＥの数および集約されたキャリアの数が増加すると、ＰＵＣＣＨの数およびＰＵＣＣＨペイロードサイズも増加し得る。ＰＣｅｌｌでＰＵＣＣＨ送信に適応すると、ＰＣｅｌｌで高いＰＵＣＣＨ負荷が発生する可能性がある。ＳＣｅｌｌ上のＰＵＣＣＨを導入して、ＰＣｅｌｌからＰＵＣＣＨリソースをオフロードし得る。複数のＰＵＣＣＨが、例えば、ＰＣｅｌｌ上のＰＵＣＣＨとＳＣｅｌｌ上の別のＰＵＣＣＨ、が構成され得る。例示的な実施形態では、ＣＳＩ／ＡＣＫ／ＮＡＣＫを基地局に送信するために、１つ、２つ、またはそれ以上のセルをＰＵＣＣＨリソースで構成し得る。セルは、複数のＰＵＣＣＨグループにグループ化され得、グループ内の１つ以上のセルはＰＵＣＣＨで構成され得る。例示的な構成では、１つのＳＣｅｌｌが、１つのＰＵＣＣＨグループに属し得る。基地局に送信される構成されたＰＵＣＣＨを有するＳＣｅｌｌは、ＰＵＣＣＨ  ＳＣｅｌｌと呼ばれ得、同じ基地局に送信された共通のＰＵＣＣＨリソースを有するセルグループは、ＰＵＣＣＨグループと呼ばれ得る。
【００３６】
例示的な実施形態では、ＭＡＣエンティティは、ＴＡＧごとに構成可能なタイマーｔｉｍｅＡｌｉｇｎｍｅｎｔＴｉｍｅｒを有し得る。ｔｉｍｅＡｌｉｇｎｍｅｎｔＴｉｍｅｒは、ＭＡＣエンティティが関連付けられるＴＡＧに属するサービングセルをアップリンク時間整列とみなす時間を制御するために、使用され得る。ＭＡＣエンティティは、タイミングアドバンスコマンド（Ｔｉｍｉｎｇ  Ａｄｖａｎｃｅ  Ｃｏｍｍａｎｄ）ＭＡＣ制御要素を受信すると、指定されたＴＡＧにタイミングアドバンスコマンドを適用し、指定されたＴＡＧに関連付けられたｔｉｍｅＡｌｉｇｎｍｅｎｔＴｉｍｅｒを開始または再開し得る。ＭＡＣエンティティは、ＴＡＧに属するサービングセルのランダムアクセス応答メッセージでタイミングアドバンスコマンドを受信した場合、および／またはＭＡＣエンティティによってランダムアクセスプリアンブルが選択されなかった場合、このＴＡＧにタイミングアドバンスコマンドを適用し、このＴＡＧに関連付けられたｔｉｍｅＡｌｉｇｎｍｅｎｔＴｉｍｅｒを開始または再開し得る。そうではなく、このＴＡＧに関連付けられたｔｉｍｅＡｌｉｇｎｍｅｎｔＴｉｍｅｒが進行していない場合、このＴＡＧのタイミングアドバンスコマンドが適用され得、このＴＡＧに関連付けられたｔｉｍｅＡｌｉｇｎｍｅｎｔＴｉｍｅｒが開始され得る。コンテンションリゾルーションが成功しなかったとみなされると、このＴＡＧに関連付けられたｔｉｍｅＡｌｉｇｎｍｅｎｔＴｉｍｅｒが停止され得る。そうでなければ、ＭＡＣエンティティは、受信したタイミングアドバンスコマンドを無視し得る。
【００３７】
例示的な実施形態では、タイマーは、一度開始されると、停止されるか期限切れになるまで進行し、そうでなければ、進行していない可能性がある。タイマーは、進行していない場合は開始でき、進行している場合は再開できる。例えば、タイマーは、初期値から開始または再開され得る。
【００３８】
本発明の例示的な実施形態は、マルチキャリア通信の動作を可能にし得る。他の例示的な実施形態は、マルチキャリア通信の動作を引き起こすために１つ以上のプロセッサによって実行可能な命令を含む非一時的な有形のコンピュータ可読媒体を含み得る。さらに他の例示的な実施形態は、プログラマブルハードウェアがデバイス（例えば、無線コミュニケーター、ＵＥ、基地局など）にマルチキャリア通信の動作を有効にできるようにさせるためその上にエンコードされた命令を有する非一時的な有形のコンピュータ読み取り可能な機械アクセス可能な媒体を含む製造物品を含み得る。デバイスは、プロセッサ、メモリ、インターフェースなどを含み得る。他の例示的な実施形態は、基地局、無線デバイス（またはユーザ機器：ＵＥ）、サーバ、スイッチ、アンテナなどのデバイスを含む通信ネットワークを含み得る。
【００３９】
図１１Ａ、図１１Ｂ、図１１Ｃ、図１１Ｄ、図１１Ｅ、および図１１Ｆは、本発明の実施形態の態様による５Ｇ  ＲＡＮとＬＴＥ  ＲＡＮとの間の密なインターワーキングのアーキテクチャの例示的な図である。密なインターワーキングにより、ＬＴＥ  ｅＮＢとｇＮＢとの間のＸｘインターフェース、またはｅＬＴＥ  ｅＮＢとｇＮＢとの間のＸｎインターフェース上の非理想的または理想的なバックホールを介して接続された２つの基地局（例えば（ｅ）ＬＴＥ  ｅＮＢおよびｇＮＢ）に位置する２つのスケジューラによって提供される無線リソースを利用するように構成される、ＲＲＣ＿ＣＯＮＮＥＣＴＥＤの複数のＲＸ／ＴＸ  ＵＥが可能となる。特定のＵＥの密なインターワーキングに関与する基地局は、２つの異なる役割を想定し得る、すなわち、基地局は、マスター基地局としてまたはセカンダリ基地局としてのいずれかで機能し得る。密なインターワーキングでは、ＵＥは、１つのマスター基地局と１つのセカンダリ基地局に接続され得る。密なインターワーキングで実装されるメカニズムは、３つ以上の基地局を覆うように拡張され得る。
【００４０】
図１１Ａおよび図１１Ｂでは、マスター基地局は、ＬＴＥ  ｅＮＢであり得、これは、ＥＰＣノードに（例えば、Ｓ１−Ｃインターフェースを介してＭＭＥに、およびＳ１−Ｕインターフェースを介してＳ−ＧＷに）接続され得、セカンダリ基地局は、ｇＮＢであり得、これは、ＬＴＥ  ｅＮＢへのＸｘ−Ｃインターフェースを介した制御プレーン接続を有する非スタンドアロンノードであり得る。図１１Ａの密なインターワーキングアーキテクチャでは、ｇＮＢのユーザプレーンは、ＬＴＥ  ｅＮＢとｇＮＢとの間のＸｘ−ＵインターフェースおよびＬＴＥ  ｅＮＢとＳ−ＧＷとの間のＳ１−Ｕインターフェースを介するＬＴＥ  ｅＮＢを介してＳ−ＧＷに接続され得る。図１１Ｂのアーキテクチャでは、ｇＮＢのユーザプレーンは、ｇＮＢとＳ−ＧＷとの間のＳ１−Ｕインターフェースを介してＳ−ＧＷに直接接続され得る。
【００４１】
図１１Ｃおよび図１１Ｄでは、マスター基地局は、ＮＧＣノードに（例えば、ＮＧ−Ｃインターフェースを介して制御プレーンコアノードに、ＮＧ−Ｕインターフェースを介してユーザプレーンコアノードに）接続され得るｇＮＢであり得、セカンダリ基地局は、ｅＬＴＥ  ｅＮＢであり得、これは、Ｘｎ−Ｃインターフェースを介したｇＮＢへの制御プレーン接続を有する非スタンドアロンノードであり得る。図１１Ｃの密なインターワーキングアーキテクチャでは、ｅＬＴＥ  ｅＮＢのユーザプレーンは、ｅＬＴＥ  ｅＮＢとｇＮＢとの間のＸｎ−ＵインターフェースおよびｇＮＢとユーザプレーンコアノードとの間のＮＧ−Ｕインターフェースを介するｇＮＢを介してユーザプレーンコアノードに接続され得る。図１１Ｄのアーキテクチャでは、ｅＬＴＥ  ｅＮＢのユーザプレーンは、ｅＬＴＥ  ｅＮＢとユーザプレーンコアノードとの間のＮＧ−Ｕインターフェースを介してユーザプレーンコアノードに直接接続され得る。
【００４２】
図１１Ｅおよび図１１Ｆでは、マスター基地局は、ＮＧＣノードに（例えば、ＮＧ−Ｃインターフェースを介して制御プレーンコアノードに、ＮＧ−Ｕインターフェースを介してユーザプレーンコアノードに）接続され得るｅＬＴＥ  ｅＮＢであり得、セカンダリ基地局は、ｇＮＢであり得、これは、Ｘｎ−Ｃインターフェースを介したｅＬＴＥ  ｅＮＢへの制御プレーン接続を有する非スタンドアロンノードであり得る。図１１Ｅの密なインターワーキングアーキテクチャでは、ｇＮＢのユーザプレーンは、ｅＬＴＥ  ｅＮＢとｇＮＢとの間のＸｎ−ＵインターフェースおよびｅＬＴＥ  ｅＮＢとユーザプレーンコアノードとの間のＮＧ−Ｕインターフェースを介するｅＬＴＥ  ｅＮＢを介してユーザプレーンコアノードに接続され得る。図１１Ｆのアーキテクチャでは、ｇＮＢのユーザプレーンは、ｇＮＢとユーザプレーンコアノードとの間のＮＧ−Ｕインターフェースを介してユーザプレーンコアノードに直接接続され得る。
【００４３】
図１２Ａ、図１２Ｂ、および図１２Ｃは、本発明の実施形態の態様による、密なインターワーキングベアラの無線プロトコル構造の例示的な図である。図１２Ａでは、ＬＴＥ  ｅＮＢは、マスター基地局であり得、ｇＮＢは、セカンダリ基地局であり得る。図１２Ｂでは、ｇＮＢは、マスター基地局であり得、ｅＬＴＥ  ｅＮＢは、セカンダリ基地局であり得る。図１２Ｃでは、ｅＬＴＥ  ｅＮＢは、マスター基地局であり得、ｇＮＢは、セカンダリ基地局であり得る。５Ｇネットワークでは、特定のベアラが使用する無線プロトコルアーキテクチャは、ベアラの設定方法に依存し得る。図１２Ａ、図１２Ｂ、および図１２Ｃに示すように、ＭＣＧベアラ、ＳＣＧベアラ、およびスプリットベアラの３つの代替案が存在し得る。ＮＲ  ＲＲＣは、マスター基地局に位置し得、ＳＲＢは、ＭＣＧベアラタイプとして構成され得、マスター基地局の無線リソースが使用され得る。密なインターワーキングはまた、セカンダリ基地局によって提供される無線リソースを使用するように構成された少なくとも１つのベアラを有するものとして説明され得る。本発明の例示的な実施形態では、密な相互作用を構成／実装してもしなくてもよい。
【００４４】
密なインターワーキングの場合、ＵＥは２つのＭＡＣエンティティで構成され得る、すなわち、１つはマスター基地局のためのＭＡＣエンティティ、もう１つはセカンダリ基地局のためのＭＡＣエンティティである。密なインターワーキングでは、ＵＥ用に構成されたサービングセルのセットは、２つのサブセットで構成され得る、すなわち、マスター基地局のサービングセルを含むマスターセルグループ（ＭＣＧ）、およびセカンダリ基地局のサービングセルを含むセカンダリセルグループ（ＳＣＧ）である。ＳＣＧの場合、次の１つ以上が適用され得る、すなわち、ＳＣＧの少なくとも１つのセルに構成されたＵＬ  ＣＣがあり、ＰＳＣｅｌｌ（またはＳＣＧのＰＣｅｌｌ、またはＰＣｅｌｌと称される）という名前のものは、ＰＵＣＣＨリソースで構成されており、ＳＣＧが構成されている場合、少なくとも１つのＳＣＧベアラもしくは１つのスプリットベアラがあり得、ＰＳＣｅｌｌでの物理層の問題もしくはランダムアクセスの問題の検出時、またはＳＣＧに関連付けられる（ＮＲ）ＲＬＣ再送信の最大数に到達したとき、またはＳＣＧの追加もしくはＳＣＧの変更中のＰＳＣｅｌｌでのアクセス問題の検出時に：ＲＲＣ接続の再確立手順がトリガされない場合があり、ＳＣＧのセルへのＵＬ送信が停止され、マスター基地局は、ＳＣＧ障害タイプのＵＥによって通知される場合があり、スプリットベアラの場合、マスター基地局にわたるＤＬデータ転送が維持され、ＲＬＣ  ＡＭベアラは、スプリットベアラ用に構成され得、ＰＣｅｌｌのように、ＰＳＣｅｌｌは、非アクティブ化され得ず、ＰＳＣｅｌｌは、ＳＣＧの変更（例えば、セキュリティキーの変更およびＲＡＣＨ手順）によって変更され得、および／またはスプリットベアラとＳＣＧベアラとの間の直接ベアラタイプの変更、もしくはＳＣＧとスプリットベアラの同時構成は、サポートされる場合とされない場合がある。
【００４５】
マルチ接続のためのマスター基地局とセカンダリ基地局との間の相互作用に関しては、次の原則の１つ以上が適用され得る、すなわち、マスター基地局は、ＵＥのＲＲＭ測定構成を維持し得、（例えば、受信した測定レポートまたはトラフィック条件またはベアラタイプに基づいて）セカンダリ基地局にＵＥに追加のリソース（サービングセル）を提供するように依頼することを判断し得、マスター基地局から要求を受信すると、セカンダリ基地局は、ＵＥの追加のサービングセルの構成をもたらし得るコンテナを作成し（または、そうすることが利用可能なリソースがないと判断し）、ＵＥ機能調整の場合、マスター基地局は、ＡＳ構成およびＵＥ機能（その一部の）をセカンダリ基地局に提供し得、マスター基地局およびセカンダリ基地局は、Ｘｎメッセージで担持されるＮＲ  ＲＲＣコンテナ（ノード間メッセージ）を用いることにより、ＵＥ構成に関する情報を交換し得、セカンダリ基地局は、既存のサービングセルの再構成を開始し得（例えば、セカンダリ基地局へのＰＵＣＣＨ）、セカンダリ基地局は、どのセルがＳＣＧ内のＰＳＣｅｌｌであるかを判断し得、マスター基地局は、セカンダリ基地局によって提供されるＮＲ  ＲＲＣ構成の内容を変更しない場合があり、ＳＣＧの追加とＳＣＧ  ＳＣｅｌｌの追加の場合、マスター基地局は、ＳＣＧセル（複数可）の最新の測定結果を提供し得、マスター基地局とセカンダリ基地局の両方は、ＯＡＭによって互いのＳＦＮとサブフレームオフセットを認知し得る（例えば、ＤＲＸアライメントと測定ギャップの識別のため）。一例では、新しいＳＣＧ  ＳＣｅｌｌを追加する場合、ＳＣＧのＰＳＣｅｌｌのＭＩＢから取得したＳＦＮを除き、ＣＡに関してセルの必要なシステム情報を送くるために、専用ＲＲＣシグナリングを使用し得る。
【００４６】
図１３Ａおよび図１３Ｂは、本発明の実施形態の態様による、ｇＮＢ展開シナリオの例示的な図である。図１３Ａの非集中型展開シナリオでは、完全なプロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）が１つのノードでサポートされ得る。図１３Ｂの集中型展開シナリオでは、ｇＮＢの上位層は、中央ユニット（ＣＵ）に位置し得、ｇＮＢの下位層は、分散ユニット（ＤＵ）に位置し得る。ＣＵとＤＵを接続するＣＵ−ＤＵインターフェース（例えば、Ｆｓインターフェース）は、理想的または理想的ではない場合がある。Ｆｓ−Ｃは、Ｆｓインターフェースにわたって制御プレーン接続を提供し得、Ｆｓ−Ｕは、Ｆｓインターフェースにわたってユーザプレーン接続を提供し得る。中央集中型の展開では、ＣＵとＤＵの異なるプロトコル層（ＲＡＮ機能）を見つけることにより、ＣＵとＤＵとの間で異なる機能分割オプションが可能になり得る。機能分割は、サービス要件および／またはネットワーク環境に応じて、ＣＵとＤＵとの間でＲＡＮ機能を移動する柔軟性をサポートし得る。機能分割オプションは、Ｆｓインターフェースの設定手順後の操作中に変更し得るか、Ｆｓの設定手順でのみ変更し得る（すなわち、Ｆｓの設定手順後の操作中は静的である）。
【００４７】
図１４は、本発明の実施形態の態様による、集中型ｇＮＢ展開シナリオの異なる機能分割オプションの例の図である。分割オプションの例１では、ＮＲ  ＲＲＣは、ＣＵにあり得、ＮＲ  ＰＤＣＰ、ＮＲ  ＲＬＣ、ＮＲ  ＭＡＣ、ＮＲ  ＰＨＹ、およびＲＦは、ＤＵにあり得る。分割オプションの例２では、ＮＲ  ＲＲＣおよびＮＲ  ＰＤＣＰは、ＣＵにあり得、ＮＲ  ＲＬＣ、ＮＲ  ＭＡＣ、ＮＲ  ＰＨＹ、およびＲＦは、ＤＵにあり得る。分割オプションの例３では、ＮＲ  ＲＲＣ、ＮＲ  ＰＤＣＰ、およびＮＲ  ＲＬＣの部分的な機能は、ＣＵにあり得、ＮＲ  ＲＬＣ、ＮＲ  ＭＡＣ、ＮＲ  ＰＨＹ、およびＲＦの他の部分的な機能は、ＤＵにあり得る。分割オプションの例４では、ＮＲ  ＲＲＣ、ＮＲ  ＰＤＣＰ、およびＮＲ  ＲＬＣは、ＣＵにあり得、ＮＲ  ＭＡＣ、ＮＲ  ＰＨＹ、およびＲＦは、ＤＵにあり得る。分割オプション例５では、ＮＲ  ＲＲＣ、ＮＲ  ＰＤＣＰ、ＮＲ  ＲＬＣ、およびＮＲ  ＭＡＣの部分的な機能は、ＣＵにあり得、ＮＲ  ＭＡＣ、ＮＲ  ＰＨＹ、およびＲＦの他の部分的な機能は、ＤＵにあり得る。分割オプションの例６では、ＮＲ  ＲＲＣ、ＮＲ  ＰＤＣＰ、ＮＲ  ＲＬＣ、およびＮＲ  ＭＡＣは、ＣＵにあり得、ＮＲ  ＰＨＹおよびＲＦは、ＤＵにあり得る。分割オプションの例７では、ＮＲ  ＲＲＣ、ＮＲ  ＰＤＣＰ、ＮＲ  ＲＬＣ、ＮＲ  ＭＡＣ、およびＮＲ  ＰＨＹの部分的な機能は、ＣＵにあり得、ＮＲ  ＰＨＹおよびＲＦの他の部分的な機能は、ＤＵにあり得る。分割オプションの例８では、ＮＲ  ＲＲＣ、ＮＲ  ＰＤＣＰ、ＮＲ  ＲＬＣ、ＮＲ  ＭＡＣ、およびＮＲ  ＰＨＹは、ＣＵにあり得、ＲＦは、ＤＵにあり得る。
【００４８】
機能分割は、ＣＵごと、ＤＵごと、ＵＥごと、ベアラごと、スライスごと、または他の細分性で構成され得る。ＣＵごとの分割では、ＣＵは、固定分割を有し、ＤＵは、ＣＵの分割オプションに一致するように構成され得る。ＤＵ分割ごとに、各ＤＵは、異なる分割で構成され得、ＣＵは、異なるＤＵに異なる分割オプションを提供され得る。ＵＥごとの分割では、ｇＮＢ（ＣＵおよびＤＵ）が異なるＵＥに異なる分割オプションを提供し得る。ベアラごとの分割では、異なるベアラタイプに異なる分割オプションを利用し得る。スライスごとのスプライスでは、異なるスライスに異なる分割オプションが適用され得る。
【００４９】
例示的な実施形態では、新無線アクセスネットワーク（新しいＲＡＮ）は異なるネットワークスライスをサポートし得、エンドツーエンドスコープで異なるサービス要件をサポートするようにカスタマイズされた差別化された処理を可能にし得る。新しいＲＡＮは、事前に構成され得る異なるネットワークスライスのトラフィックの差別化された処理を提供し得、単一のＲＡＮノードが複数のスライスをサポートすることを可能にし得る。新しいＲＡＮは、ＵＥまたはＮＧＣ（例えば、ＮＧ  ＣＰ）によって提供される１つ以上のスライスＩＤまたはＮＳＳＡＩによって、所与のネットワークスライスのＲＡＮ部分の選択をサポートし得る。スライスＩＤ（複数可）またはＮＳＳＡＩ（複数可）は、ＰＬＭＮ内の事前構成されたネットワークスライスのうちの１つ以上を識別し得る。初期結合では、ＵＥはスライスＩＤおよび／またはＮＳＳＡＩを提供し、ＲＡＮノード（例えば、ｇＮＢ）はスライスＩＤまたはＮＳＳＡＩを使用して、初期ＮＡＳシグナリングをＮＧＣ制御プレーン機能（例えば、ＮＧ  ＣＰ）にルーティングし得る。ＵＥがスライスＩＤまたはＮＳＳＡＩを提供しない場合、ＲＡＮノードは、デフォルトのＮＧＣ制御プレーン機能にＮＡＳシグナリングを送り得る。続くアクセスに対して、ＵＥは、スライス識別用の一時ＩＤを提供し得、これは、ＮＧＣ制御プレーン機能によって割り当てられ、ＲＡＮノードがＮＡＳメッセージを関連するＮＧＣ制御プレーン機能にルーティング可能にするようにし得る。新しいＲＡＮは、スライス間のリソース分離をサポートし得る。ＲＡＮリソース分離は、あるスライスの共有リソースの不足が別のスライスのサービスレベルアグリーメントに違反することを回避することで実現され得る。
【００５０】
セルラーネットワークにわたって搬送されるデータトラフィックの量は、今後何年も増加すると予想される。ユーザ／デバイスの数は、増加しており、各ユーザ／デバイスは、ビデオ配信、大きなファイル、画像など、ますます多くの種類のサービスにアクセスしている。これには、ネットワークの大容量だけでなく、双方向性と応答性に関する顧客の期待に応えるために、非常に高いデータレートをプロビジョニングする必要がある。したがって、携帯電話事業者が、増加する需要を満たすためには、より多くのスペクトルが必要である。シームレスモビリティに加えて、高いデータレートに対するユーザの期待を考慮すると、セルラーシステム用のスモールセルだけでなくマクロセルを展開するためにより多くのスペクトルを利用可能にすることが有益である。
【００５１】
市場の需要に応えるために、ライセンスのないスペクトルを利用してトラフィックの増加に対応する補完的なアクセスを展開することに、事業者からの関心が高まってきている。これは、事業者が展開する多数のＷｉ−Ｆｉネットワークと、ＬＴＥ／ＷＬＡＮインターワーキングソリューションの３ＧＰＰ標準化によって実証されている。この関心は、ライセンスされていないスペクトルが、存在する場合、ホットスポットエリアなどのいくつかのシナリオでトラフィックの爆発に対処するのに役立つ携帯電話事業者のライセンススペクトルを効果的に補完できることを示す。ＬＡＡは、事業者が１つの無線ネットワークを管理しながら、ライセンス不要のスペクトルを利用するための代替手段を提供するため、ネットワークの効率を最適化する新しい可能性を提供する。
【００５２】
例示的な実施形態では、ＬＡＡセルにおける送信のために、リッスンビフォアトーク（クリアチャネル評価）が実装され得る。リッスンビフォアトーク（ＬＢＴ）手順では、チャネルを使用する前に、機器がクリアチャネルアセスメント（ＣＣＡ）チェックを適用し得る。例えば、ＣＣＡは、チャネルが占有されているか、クリアされているかをそれぞれ決定するために、少なくともエネルギー検出を利用して、チャネル上の他の信号の有無を判断する。例えば、ヨーロッパと日本の規制では、ライセンスのない帯域でのＬＢＴの使用が義務付けられている。規制要件とは別に、ＬＢＴを介したキャリアセンシングは、ライセンスのないスペクトルを公平に共有するための１つの方法であり得る。
【００５３】
例示的な実施形態では、最大送信持続期間が制限されたライセンス不要キャリアでの不連続送信が有効にされ得る。これらの機能の一部は、不連続ＬＡＡダウンリンク送信の開始から送信される１つ以上の信号によってサポートされ得る。チャネル予約は、成功したＬＢＴ操作を介してチャネルアクセスを取得した後、ＬＡＡノードによる信号の送信によって有効になり得、その結果、特定のしきい値を超えるエネルギーで送信信号を受信する他のノードが占有されるチャネルを感知する。不連続ダウンリンク送信でのＬＡＡ動作のために１つ以上の信号でサポートする必要があり得る機能には、以下の１つ以上が含まれ得る、すなわち、ＵＥによるＬＡＡダウンリンク送信の検出（セル識別を含む）、ＵＥの時間と周波数の同期。
【００５４】
例示的な実施形態では、ＤＬ  ＬＡＡ設計は、ＣＡによって集約されたサービングセルにわたるＬＴＥ−Ａキャリアアグリゲーションタイミング関係に従ってサブフレーム境界アライメントを用いてもよい。これは、ｅＮＢ送信が、サブフレーム境界でのみ開始できることを意味しない場合がある。ＬＡＡは、ＬＢＴに従ってサブフレームで全てのＯＦＤＭシンボルが送信に利用可能ではないとき、ＰＤＳＣＨの送信をサポートし得る。ＰＤＳＣＨに必要な制御情報の配信もまた、サポートされ得る。
【００５５】
ＬＢＴ手順は、ＬＡＡと他の事業者およびライセンス不要スペクトルで動作する技術との公正かつ友好的な共存のために用いられ得る。ライセンスのないスペクトルでキャリアで送信しようとするノードでのＬＢＴ手順では、ノードが、明確なチャネル評価を実施して、チャネルが使用できるかどうかを決定する必要がある。ＬＢＴ手順には、チャネルが使用されているかどうかを決定するための少なくともエネルギー検出を伴い得る。例えば、ヨーロッパなど一部の地域の規制要件では、エネルギー検出しきい値を指定して、ノードがこのしきい値を超えるエネルギーを受け取った場合、ノードはチャネルが空いていないと想定する。ノードは、そのような規制要件に従い得るが、ノードは、規制要件で指定されたものよりも低いエネルギー検出のしきい値を任意選択で使用し得る。一例では、ＬＡＡは、エネルギー検出閾値を適応的に変更するメカニズムを用いてもよく、例えば、ＬＡＡは、上限からエネルギー検出閾値を適応的に低下させるメカニズムを用いてもよい。適応メカニズムは、しきい値の静的または準静的な設定を妨げ得ない。一例では、カテゴリ４  ＬＢＴメカニズムまたは他のタイプのＬＢＴメカニズムが実装され得る。
【００５６】
様々な例のＬＢＴメカニズムが、実装され得る。一例では、一部の信号に対し、一部の実装シナリオ、一部の状況、および／または一部の周波数では、送信エンティティによってＬＢＴ手順が実施され得ない。一例では、カテゴリ２（ランダムバックオフのないＬＢＴなど）が、実装され得る。送信エンティティが送信する前にチャネルがアイドル状態であると感知される時間の持続期間は、決定論的であり得る。例では、カテゴリ３（例えば、固定サイズのコンテンションウィンドウを有するランダムバックオフを使用したＬＢＴ）が実装され得る。ＬＢＴ手順には、その構成要素の１つとして次の手順を有し得る。送信エンティティは、コンテンションウィンドウ内で乱数Ｎを描画し得る。コンテンションウィンドウのサイズは、Ｎの最小値と最大値で指定され得る。コンテンションウィンドウのサイズは固定され得る。乱数Ｎは、送信エンティティがチャネル上で送信する前にチャネルがアイドルであると感知される時間の持続期間を決定するためにＬＢＴ手順で使用され得る。例では、カテゴリ４（例えば、可変サイズのコンテンションウィンドウを使用したランダムバックオフのＬＢＴ）が実装され得る。送信エンティティは、コンテンションウィンドウ内で乱数Ｎを描画し得る。コンテンションウィンドウのサイズは、Ｎの最小値と最大値で指定され得る。送信エンティティは、乱数Ｎを描画するときにコンテンションウィンドウのサイズを変更し得る。乱数Ｎは、送信エンティティがチャネルで送信する前に、チャネルがアイドル状態であると感知される時間の持続期間を決定するためにＬＢＴ手順で使用される。
【００５７】
ＬＡＡは、ＵＥでアップリンクＬＢＴを用いてもよい。ＵＬ  ＬＢＴスキームは、例えば、ＬＡＡ  ＵＬがＵＥのチャネルコンテンション機会に影響するスケジュールされたアクセスに基づくため、（例えば、異なるＬＢＴメカニズムまたはパラメータを使用することにより）ＤＬ  ＬＢＴスキームと異なり得る。異なるＵＬ  ＬＢＴスキームを動機付けるその他の考慮事項には、単一のサブフレームでの複数のＵＥの多重化が含まれるが、これらに限定されない。
【００５８】
一例では、ＤＬ送信バーストは、同じＣＣ上の同じノードからの直前または直後に送信がないＤＬ送信ノードからの連続送信であり得る。ＵＥの観点からのＵＬ送信バーストは、同じＣＣ上の同じＵＥからの直前または直後に送信がないＵＥからの連続送信であり得る。一例では、ＵＬ送信バーストは、ＵＥの観点から定義される。一例では、ＵＬ送信バーストは、ｅＮＢの観点から定義され得る。一例では、ｅＮＢが同じライセンス不要キャリア上でＤＬ＋ＵＬ  ＬＡＡを動作させる場合、ＬＡＡ上のＤＬ送信バースト（複数可）およびＵＬ送信バースト（複数可）は、同じライセンス不要キャリア上でＴＤＭ方式でスケジュールされ得る。例えば、時間のある瞬間は、ＤＬ送信バーストまたはＵＬ送信バーストの一部であり得る。
【００５９】
一例では、基地局は、複数の論理チャネルを有する無線デバイスを構成し得る。論理チャネルは、少なくとも１つのデータ無線ベアラおよび／または少なくとも１つのシグナリング無線ベアラに対応し得る。無線ベアラおよび／またはシグナリングベアラは、サービス品質（ＱｏＳ）要件（スループット、レイテンシ、ジッタなど）に関連付けられ得る。論理チャネル構成パラメータは、優先度および／または優先化ビットレート（ＰＢＲ）および／またはバケットサイズ持続期間（ＢＳＤ）などの複数のパラメータを含み得る。一例では、トランスポートブロック（ＴＢ）内の複数の論理チャネルからのデータを多重化する論理チャネル優先順位付け手順によって、１つ以上の論理チャネル用に構成された１つ以上のパラメータを用いることができる。論理チャネルの構成パラメータは、論理チャネルがセルタイプ（例えば、ライセンス要、ライセンス不要、ミリ波、超高周波など）にマッピングされ得るかどうかを示し得る。論理チャネルの構成パラメータは、論理チャネルがＴＴＩタイプ／持続期間および／またはニューメロロジーおよび／またはサービスタイプ（例えば、ＵＲＬＬＣ、ｅＭＢＢ、ｅＭＴＣなど）にマッピングされ得るかどうかを示し得る。論理チャネルの構成パラメータは、論理チャネルがマッッピングされる最大ＴＴＩ期間を示し得る。
【００６０】
一例では、基地局は、１つ以上のニューメロロジーおよび／または送信時間間隔（ＴＴＩ）、例えばＴＴＩ持続期間および／またはセルおよび／またはサービスタイプ／またはグループへの論理チャネルのマッピングを制御し得る（例えば、無線デバイスによって）。一例では、マッピングは、準静的（例えば、ＲＲＣ構成を使用）、動的（例えば、物理層および／またはＭＡＣ層シグナリングを使用）、無線デバイスで事前構成、ハードスプリット／ソフトスプリットなどであり得る。一例では、無線デバイスは、単一のセルからの複数のＴＴＩおよび／またはニューメロロジーをサポートし得る。一例では、複数のＴＴＩおよび／またはニューメロロジーおよび／またはセルは、複数のＭＡＣエンティティによって処理され得る。一例では、複数のＴＴＩおよび／またはニューメロロジーおよび／またはセルは、（例えば、バンド、サービスのタイプ／ＱｏＳなどに基づいて）グループ化され、ＴＴＩ／ニューメロロジー／セルのグループは、ＭＡＣエンティティによって処理され得る。一例では、複数のＴＴＩおよび／またはニューメロロジーおよび／またはセルは、単一のＭＡＣエンティティによって処理され得る。
【００６１】
一例では、ネットワーク／ｇＮＢは、１つ以上のニューメロロジー／ＴＴＩ持続期間／セル／サービスタイプにマッピングされるように無線ベアラを構成し得る。一例では、ＭＡＣエンティティは、１つ以上のニューメロロジー／ＴＴＩ持続期間／セルをサポートし得る。一例では、論理チャネルは、１つ以上のニューメロロジー／ＴＴＩ持続期間／セル／セルタイプ／サービスタイプにマッピングされ得る。一例では、１つ以上の論理チャネルは、ニューメロロジー／ＴＴＩ持続期間／セル／セルタイプ／サービスタイプにマッピングされ得る。一例では、ＨＡＲＱエンティティは、１つ以上のニューメロロジー／ＴＴＩ持続期間／セル／セルタイプ／サービスタイプをサポートし得る。
【００６２】
例示的な実施形態では、無線デバイスは、周期的リソース割り当て（例えば、半永続的スケジューリング（ＳＰＳ）および／またはグラントフリーリソース割り当て）で構成され得る。周期的リソース割り当ておよびＳＰＳまたはグラントフリーという用語は、この明細書で同じ意味を有し得る。一例では、基地局は、ＤＣＩ／グラントを使用して複数のアップリンクＳＰＳグラントを構成し得る。一例では、ＳＰＳグラントは周期的に構成され得る。一例では、ＳＰＳ期間は、ＲＲＣを使用して無線デバイスに対して構成され得る。一例では、周波数リソース（例えば、リソースブロックなど）および／または時間リソースおよび／または変調およびコーディングスキーム（ＭＣＳ）および／または冗長バージョン（ＲＶ）などが、ＳＰＳについて、ＲＲＣ構成を使用するおよび／またはグラント／ＤＣＩを使用するＵＥに提供され得る。
【００６３】
一例では、ＳＰＳ−Ｃｏｎｆｉｇなどの情報要素を使用して、半永続的スケジューリング構成が構成され得る。ＳＰＳ−Ｃｏｎｆｉｇ情報要素の例を以下に示す。新しいＩＥフォーマットを定義し得、追加フィールドを追加して、複数のＳＰＳおよび／または複数の論理チャネルおよび／または論理チャネルグループおよび／またはＴＴＩおよび／またはニューメロロジーおよび／またはセルタイプおよび／またはサービスタイプに対応する複数のＳＰＳをサポートするなど、拡張ＳＰＳメカニズムをサポートし得る。一例では、ＳＰＳ構成は、ＳＰＳおよび／または論理チャネルおよび／または論理チャネルグループおよび／またはニューメロロジーおよび／またはセルタイプおよび／または構成されたＳＰＳのサービスタイプのＴＴＩ持続期間を含み得る。一例では、複数の論理チャネルおよび／または論理チャネルグループおよび／またはＴＴＩおよび／またはニューメロロジーおよび／またはセルタイプおよび／またはサービスタイプに対して複数のＳＰＳ構成を構成し得る。一例では、複数のＳＰＳ構成は、複数のＳＰＳインデックスで識別され得る。例示的な実施形態に従って拡張ＳＰＳを構成するために、例示的な実施形態に従って拡張ＳＰＳ構成ＩＥが実装され得る。例示的な実施形態では、周期性（例えば、２つの続く周期的リソース割り当て／ＳＰＳ／グラントフリーリソース割り当て送信機会の間の時間間隔）は、ＲＲＣおよび／またはアクティブ化ＤＣＩの１つ以上のパラメータに基づき得る。例示的な実施形態では、周期的リソース割り当てＳＰＳ／グラントフリーリソース割り当ての送信機会に送信されるトランスポートブロックに対応するＨＡＲＱ  ＩＤは、ＲＲＣおよび／またはアクティブ化ＤＣＩの１つ以上のパラメータに基づき得る。
【表２】
0006788244.tif 000006
【表３】
0006788244.tif 000007
【００６４】
一例では、ＳＰＳ構成ＩＥを強化し得、複数のダウンリンクまたはアップリンクＳＰＳが、セルに対して構成され得る。一例では、複数のＳＰＳが構成されているとき、複数のＳＰＳ  ＲＮＴＩが構成され得る。一例では、ＲＲＣは、セルのＳＰＳ構成を識別するインデックスを含み得る。一例では、ＳＰＳ  ＲＮＴＩを用い、ＳＰＳをトリガするＤＣＩは、トリガされる（初期化される）または解放されるＳＰＳのインデックスを含み得る。
【００６５】
一例では、ＳＰＳ構成は、ＳＰＳグラントのパケット送信に用いられるＭＣＳを含み得る。一例では、ｉｍｐｌｉｃｉｔＲｅｌｅａｓｅＡｆｔｅｒは、暗示的なリリース前の空の送信の数であり得る。一例では、値ｅ２は、２回の送信に対応し得、ｅ３は、３回の送信に対応し得る。ｓｋｉｐＵｐｌｉｎｋＴｘＳＰＳが構成されている場合、ＵＥは、このフィールドを無視し得る。
【００６６】
一例では、ｎ１ＰＵＣＣＨ−ＡＮ−ＰｅｒｓｉｓｔｅｎｔＬｉｓｔ、ｎ１ＰＵＣＣＨ−ＡＮ−ＰｅｒｓｉｓｔｅｎｔＬｉｓｔＰ１は、パラメータのリストであり得る：
【数１】
0006788244.tif 000008
それぞれ、アンテナポートＰ０およびアンテナポートＰ１に対して。一例では、ＰＵＣＣＨ−ＣｏｎｆｉｇＤｅｄｉｃａｔｅｄ−ｖ１０２０のｔｗｏＡｎｔｅｎｎａＰｏｒｔＡｃｔｉｖａｔｅｄＰＵＣＣＨ−Ｆｏｒｍａｔ１ａ１ｂがｔｒｕｅに設定されている場合、フィールドｎ１−ＰＵＣＣＨ−ＡＮ−ＰｅｒｓｉｓｔｅｎｔＬｉｓｔＰ１を適用し得る。そうでなければ、フィールドは、構成され得ない。
【００６７】
一例では、ｎｕｍｂｅｒＯｆＣｏｎｆＳＰＳ−Ｐｒｏｃｅｓｓｅｓは、ダウンリンク半永続的スケジューリング用に構成されたＨＡＲＱプロセスの数であり得る。一例では、ｎｕｍｂｅｒＯｆＣｏｎｆＵｌＳＰＳ−Ｐｒｏｃｅｓｓｅｓは、アップリンク半永続的スケジューリング用に構成されたＨＡＲＱプロセスの数であり得る。例えば、基地局はこのフィールドを非同期ＵＬ  ＨＡＲＱ用に構成し得る。一例では、他の構成パラメータを使用して、異なるＳＰＳ機会におけるＳＰＳ送信のＨＡＲＱプロセスＩＤを示しおよび／または決定し得る。
【００６８】
一例では、ｐ０−ＮｏｍｉｎａｌＰＵＳＣＨ−Ｐｅｒｓｉｓｔｅｎｔは、パラメータ：ＰＯ＿ＮＯＭＩＮＡＬ＿ＰＵＳＣＨ（０）であり得る。一例では、その単位は、ステップ１でｄＢｍであり得る。一例では、このフィールドは、永続的スケジューリングに適用され得る。一例では、選択設定が使用され、ｐ０−Ｐｅｒｓｉｓｔｅｎｔが存在しない場合、ｐ０−ＮｏｍｉｎａｌＰＵＳＣＨ−Ｐｅｒｓｉｓｔｅｎｔのｐ０−ＮｏｍｉｎａｌＰＵＳＣＨの値が適用され得る。一例では、アップリンク電力制御サブフレームセットがｔｐｃ−ＳｕｂｆｒａｍｅＳｅｔによって構成されている場合、このフィールドは、アップリンク電力制御サブフレームセット１に適用し得る。
【００６９】
一例では、ｐ０−ＮｏｍｉｎａｌＰＵＳＣＨ−ＰｅｒｓｉｓｔｅｎｔＳｕｂｆｒａｍｅＳｅｔ２は、パラメータになり得る。一例では、その単位は、ステップ１でｄＢｍになり得る。一例では、このフィールドは、永続的スケジューリングに適用され得る。一例では、ｐ０−ＰｅｒｓｉｓｔｅｎｔＳｕｂｆｒａｍｅＳｅｔ２−ｒ１２が構成されていない場合、ｐ０−ＮｏｍｉｎａｌＰＵＳＣＨ−ＰｅｒｓｉｓｔｅｎｔＳｕｂｆｒａｍｅＳｅｔ２のｐ０−ＮｏｍｉｎａｌＰＵＳＣＨ−ＳｕｂｆｒａｍｅＳｅｔ２−ｒ１２の値が適用され得る。一例では、アップリンク電力制御サブフレームセットが、ｔｐｃ−ＳｕｂｆｒａｍｅＳｅｔによって構成されている場合、基地局は、このフィールドを構成し得、この場合、このフィールドはアップリンク電力制御サブフレームセット２に適用し得る。
【００７０】
一例では、ｐ０−ＵＥ−ＰＵＳＣＨ−Ｐｅｒｓｉｓｔｅｎｔは、パラメータ：ＰＯ＿ＵＥ＿ＰＵＳＣＨ（０）であり得る。一例では、その単位はｄＢであり得る。一例では、このフィールドは、永続的スケジューリングに適用され得る。一例では、選択設定が使用され、ｐ０−Ｐｅｒｓｉｓｔｅｎｔが存在しない場合、ｐ０−ＵＥ−ＰＵＳＣＨ−Ｐｅｒｓｉｓｔｅｎｔのｐ０−ＵＥ−ＰＵＳＣＨの値が適用され得る。一例では、アップリンク電力制御サブフレームセットがｔｐｃ−ＳｕｂｆｒａｍｅＳｅｔによって構成されている場合、このフィールドは、アップリンク電力制御サブフレームセット１に適用し得る。
【００７１】
一例では、ｐ０−ＵＥ−ＰＵＳＣＨ−ＰｅｒｓｉｓｔｅｎｔＳｕｂｆｒａｍｅＳｅｔ２は、パラメータ：ＰＯ＿ＵＥ＿ＰＵＳＣＨ（０）であり得る。一例では、その単位はｄＢであり得る。一例では、このフィールドは、永続的スケジューリングに適用され得る。一例では、ｐ０−ＰｅｒｓｉｓｔｅｎｔＳｕｂｆｒａｍｅＳｅｔ２−ｒ１２が構成されていない場合、ｐ０−ＵＥ−ＰＵＳＣＨ−ＰｅｒｓｉｓｔｅｎｔＳｕｂｆｒａｍｅＳｅｔ２のｐ０−ＵＥ−ＰＵＳＣＨ−ＳｕｂｆｒａｍｅＳｅｔ２の値が適用され得る。一例では、アップリンク電力制御サブフレームセットが、ｔｐｃ−ＳｕｂｆｒａｍｅＳｅｔによって構成されている場合、基地局は、このフィールドを構成し得、この場合、このフィールドはアップリンク電力制御サブフレームセット２に適用し得る。
【００７２】
一例では、ｓｅｍｉＰｅｒｓｉｓｔＳｃｈｅｄ  Ｃ−ＲＮＴＩが半永続的スケジューリングＣ−ＲＮＴＩであり得る。一例では、ｓｅｍｉＰｅｒｓｉｓｔＳｃｈｅｄＩｎｔｅｒｖａｌＤＬは、ダウンリンクの半永続的スケジューリング間隔であり得る。一例では、その値はサブフレームの数にあり得る。一例では、値ｓｆ１０は、１０のサブフレームに対応し得、ｓｆ２０は、２０のサブフレームに対応し得る。ＴＤＤの場合、ＵＥは、このパラメータを（１０のサブフレームの）最も近い整数に切り捨て得、例えば、ｓｆ１０は、１０のサブフレームに対応し得、ｓｆ３２は、３０個のサブフレームに対応し得、ｓｆ１２８は、１２０のサブフレームに対応し得る。例示的な実施形態は、ＳＰＳ期間の構成を強化する（例えば、ＤＣＩおよび／またはデフォルト持続期間および／または他の構成された／事前構成された値と組み合わせて）。
【００７３】
一例では、ｓｅｍｉＰｅｒｓｉｓｔＳｃｈｅｄＩｎｔｅｒｖａｌＵＬは、アップリンクでの半永続的スケジューリング間隔であり得る。一例では、その値はサブフレームの数内にあり得る。値ｓｆ１０は、１０のサブフレームに対応し得、ｓｆ２０は、２０個のサブフレームに対応し得る。ＴＤＤの場合、構成された半永続的スケジューリング間隔が、１０のサブフレーム以上のとき、ＵＥは、このパラメータを（１０のサブフレームの）最も近い整数に切り捨て得、例えば、ｓｆ１０は、１０のサブフレームに対応し得、ｓｆ３２は、３０のサブフレームに対応し得、ｓｆ１２８は、１２０のサブフレームに対応し得る。例示的な実施形態は、ＳＰＳ期間の構成を強化する（例えば、ＤＣＩおよび／またはデフォルト持続期間および／または他の構成された／事前構成された値と組み合わせて）。
【００７４】
例では、ｔｗｏＩｎｔｅｒｖａｌｓＣｏｎｆｉｇは、アップリンクでの２つの間隔の半永続的スケジューリングのトリガになり得る。例えば、このフィールドが存在し、構成された半永続的スケジューリング間隔が１０サブフレーム以上の場合、アップリンクに対して２つの間隔ＳＰＳが有効になり得る。そうでなければ、２つの間隔ＳＰＳが無効になり得る。
【００７５】
一例では、ｓｋｉｐＵｐｌｉｎｋＴｘＳＰＳが構成されている場合、ＵＥは、ＵＥバッファ内の送信に利用可能なデータがない場合、構成されたアップリンクグラントのためにＵＬ送信をスキップし得る。一例では、ｓｅｍｉＰｅｒｓｉｓｔＳｃｈｅｄＩｎｔｅｒｖａｌＵＬが、しきい値期間より短いとき、基地局は、ｓｋｉｐＵｐｌｉｎｋＴｘＳＰＳを構成し得る。一例では、しきい値は、無線デバイス用に事前に構成および／または構成され得る。
【００７６】
一例では、無線デバイスは、ＳＰＳのアップリンクスキップを使用して構成され得る。一例では、ＳＰＳアップリンクスキップ構成は、ＲＲＣを使用している可能性がある。一例では、ＳＰＳアップリンクスキッピングで構成されたＵＥの場合、ＵＥは、ＵＥがＳＰＳグラントにマッピングされ得るデータを有しない場合、信号を送信しなくてもよい（例えば、ＴＢ送信および／またはパディング送信なし）。一例では、アップリンクスキッピングで構成された無線デバイスは、ＳＰＳをアクティブ化または解放するＤＣＩを受信した後に確認応答（例えば、ＳＰＳ確認ＭＡＣ  ＣＥ）を送信し得る。一例では、ＳＰＳアップリンクスキッピングで構成された無線デバイスは、無線デバイスが送信するデータを有しない場合でさえも、１つ以上の信号および／またはＭＡＣ  ＣＥ（例えば、ＣＳＩおよび／またはＢＳＲおよび／またはＰＨＲなど）を送信し得る。
【００７７】
例示的な実装形態では、ダウンリンクおよび／またはアップリンク送信のためのＴＴＩの方向は柔軟であり得る。一例では、複数のＴＴＩ持続期間は、無線デバイスおよび／または基地局によって使用され得る。一例では、基地局は、１ｍｓ未満の周期性で無線デバイス用のＳＰＳを構成し得る。例えば、ＵＲＬＬＣレイテンシ要件（例えば、ＵＬで０．５ｍｓ、ＤＬで０．５ｍｓのユーザプレーンレイテンシ）を考慮すると、ＳＰＳがＵＲＬＬＣに使用される場合、１ｍｓ未満のＳＰＳ期間が構成され得る。一例において、ＳＰＳの送信方向およびＴＴＩ持続期間は、ＳＰＳ機会間で不変に保たれ得る。
【００７８】
例示的な実施形態では、グラント／ＤＣＩは、無線デバイスのＳＰＳをアクティブ化し得る。グラント／ＤＣＩは、ＳＰＳのＴＴＩ持続期間を示し得る。一例では、グラント／ＤＣＩは、ＴＴＩのインデックスを示し得る。インデックスに対応するＴＴＩ持続期間は、ＲＲＣによって事前構成および／または構成され得る。一例では、ＳＰＳのＴＴＩ持続期間は、ＲＲＣによって構成され得る。一例では、ＲＲＣは、ＳＰＳに対応する論理チャネル（複数可）および／または論理チャネルグループ（複数可）および／またはサービスタイプ（複数可）（例えば、ＵＲＬＬＣ、ｅＭＢＢ、ｅＭＴＣなど）を構成し得る。論理チャネル（複数可）および／または論理チャネルグループ（複数可）および／またはＳＰＳに対応するサービスタイプ（複数可）に対応するＴＴＩ持続期間および／またはニューメロロジーは、論理チャネル（複数可）および／または論理チャネルグループ（複数可）および／またはサービスタイプ（複数可）がマッピングされ得るＴＴＩ持続期間および／またはニューメロロジーから認知し得る。一例では、論理チャネル（複数可）／または論理チャネルグループ（複数可）および／またはサービスタイプ（複数可）のＴＴＩ（例えば、ＴＴＩ持続期間）／ニューメロロジーの間のマッピングは、無線デバイスのために構成され（例えば、ＲＲＣを使用して）および／または事前構成されおよび／または無線デバイスに動的に示され得る。一例では、ＲＲＣは、（例えば、ＴＴＩの数に関して）絶対ＳＰＳ期間を構成し得る。
【００７９】
例示的な実施形態では、ＳＰＳ期間は、時間に関して、グラント／ＤＣＩで示され、またはＲＲＣにより構成されるＴＴＩ持続期間および／またはグラント／ＤＣＩに示され、またはＲＲＣによって構成されるＴＴＩ持続期間に基づく持続期間に絶対ＳＰＳ期間を掛けることにより取得することができる。一例では、無線デバイスは、第１のＴＴＩ持続期間（例えば、ＴＴＩｊ）に対応する第１の状態変数（例えば、ＣＵＲＲＥＮＴ＿ＴＴＩｊ）を用いてもよい。第１のＴＴＩ持続期間は、第１のＴＴＩ機会および／または続くＳＰＳ機会に対応するＴＴＩ持続期間であり得る。無線デバイスは、ＴＴＩｊの持続期間の後に第１の状態変数を増分し得る。無線デバイスは、第１の数（例えば、Ｋｊ）に到達した後に、第１の状態変数をリセットし得る。一例では、第１の数は、事前構成され得る。一例では、ＲＲＣは、ＳＰＳ期間（例えば、ＴＴＩに関して例えば絶対期間）を構成し得る。一例では、ＲＲＣ構成されたＳＰＳ期間は、ｓｅｍｉＰｅｒｓｉｓｔＳｃｈｅｄＩｎｔｅｒｖａｌと称され得る。一例では、第ＮのＳＰＳグラント機会は、ＣＵＲＲＥＮＴ＿ＴＴＩｊが次の式を満たすＴＴＩであり得る。
ＣＵＲＲＥＮＴ＿ＴＴＩｊ＝（ＣＵＲＲＥＮＴ＿ＴＴＩｊ，ｓｔａｒｔ＋Ｎ＊ｓｅｍｉＰｅｒｓｉｓｔＳｃｈｅｄＩｎｔｅｒｖａｌ）ｍｏｄｕｌｏ  Ｋｊ
ここで、ＣＵＲＲＥＮＴ＿ＴＴＩｊ、ｓｔａｒｔは、最初に発生したＳＰＳの機会に関連付けられたＣＵＲＲＥＮＴ＿ＴＴＩｊである。
【００８０】
一例では、少なくとも１つのＲＲＣメッセージは、第１の周期的リソース割り当ての第１の周期性パラメータ（例えば、ＳＰＳ期間と称される）を含む第１の周期的リソース割り当て構成パラメータを含む。時間に関するＳＰＳ期間は、第１の周期性パラメータに第１の持続期間（例えば、デフォルトＴＴＩ持続期間および／またはシンボル持続期間（複数可）の第１の数など）を掛けることにより取得され得る。基地局は、第１の周期的リソース割り当てのアクティブ化を示すＤＣＩ（例えば、アクティブ化ＤＣＩ）を送信することができ、ダウンリンク制御情報は１つ以上の第１のフィールドを含む。一例では、第１の周期性パラメータは、数字シンボルを示し、１つ以上の第１のフィールドは、シンボル持続期間を示す。２つの続く送信機会の間の時間間隔は、シンボルの数にシンボル持続期間を掛けた値に基づく。一例では、第１の持続期間は、１つ以上のサブフレーム、１つ以上のスロット持続期間、１つ以上のミニスロット持続期間、および／または１つ以上のシンボルなどであり得る。一例では、第１の持続期間は、サブフレームの一部（例えば、０．２、０．５など）であり得る。一例では、第１の持続期間は、事前構成され得る。一例では、（例えば、ＲＲＣを使用して）第１の持続期間が無線デバイスに対して構成され得る。一例では、第１の持続期間は、無線デバイスに動的に示され得る（例えば、ＤＣＩで、例えば、ＳＰＳアクティブ化ＤＣＩ）。一例では、無線デバイスは、状態変数（例えば、ＣＵＲＲＥＮＴ＿ＴＴＩ）を定義し得る。無線デバイスは、第１の持続期間（例えば、デフォルトのＴＴＩ）の後に、状態変数を増分し得る。無線デバイスは、数（Ｋなど）が達した後に状態変数をリセットし得る。一例では、ＲＲＣは、ＳＰＳ期間（例えば、ＴＴＩに関して例えば絶対期間）を構成し得る。一例では、ＲＲＣ構成されたＳＰＳ期間は、ｓｅｍｉＰｅｒｓｉｓｔＳｃｈｅｄＩｎｔｅｒｖａｌと称され得る。一例では、第ＮのＳＰＳグラント機会は、ＣＵＲＲＥＮＴ＿ＴＴＩが次の式を満たすＴＴＩであり得る。
【００８１】
ＣＵＲＲＥＮＴ＿ＴＴＩ＝（ＣＵＲＲＥＮＴ＿ＴＴＩｓｔａｒｔ＋Ｎ＊ｓｅｍｉＰｅｒｓｉｓｔＳｃｈｅｄＩｎｔｅｒｖａｌ）ｍｏｄｕｌｏ  Ｋ
ここで、ＣＵＲＲＥＮＴ＿ＴＴＩｓｔａｒｔは、最初に発生したＳＰＳの機会に関連付けられたＣＵＲＲＥＮＴ＿ＴＴＩである。
【００８２】
複数のニューメロロジー（例えば、複数のシンボル持続期間、ＴＴＩ持続期間など）が実装されている場合、既存の周期的リソース割り当てメカニズム（例えば、半永続的スケジューリング、構成されたグラントタイプ１または２など）を実装すると、リソースの割り当てが非効率的になる。無線ネットワークに様々なニューメロロジーが実装されているとき、周期的リソース割り当てに柔軟性と効率を追加する必要がある。例示的な実施形態は、異なるシンボル持続期間をサポートする様々なニューメロロジーが実装されるとき、強化された周期的リソース割り当てメカニズムを提供する（例えば、新無線で構成されたグラントに対して）。例示的な実施形態は、複数のパラメータに基づいて構成されたグラントの周期性の柔軟な構成を可能にする。一例では、複数のパラメータは、ＲＲＣによって構成され得る。一例では、複数のパラメータは、ＲＲＣによって半静的に構成され、または、ＤＣＩによって動的に示され得る。例示的な実施形態は、アップリンクリソース効率を改善し、ｅＭＢＢおよびＵＲＬＬＣなどの様々なＱｏＳ要件を有するサービスをサポートすることを可能にする。
【００８３】
一例では、第１のＲＲＣ構成された周期性パラメータは、ＴＴＩ／シンボル持続期間に基づき得、ＳＰＳ／グラントフリーリソース割り当てをアクティブ化するＤＣＩが、ＴＴＩ／シンボル持続期間を決定し得、これにより、ＵＲＬＬＣなどをサポートする新無線で様々なサービスをサポートするために必要な柔軟性が提供される。一例では、第１のＲＲＣ構成された周期性パラメータは、ＴＴＩ／シンボル持続期間に基づき得、第２のＲＲＣ構成されたパラメータはＴＴＩ／シンボル持続期間を示し得る。
【００８４】
例示的な実施形態が図１５に示されている。一例では、無線デバイスは、基地局から１つ以上の無線リソース制御（ＲＲＣ）メッセージを受信し得る。１つ以上のＲＲＣメッセージは、第１の周期的リソース割り当て構成パラメータを含み得る。第１の周期的リソース割り当て構成パラメータは、第１の周期的リソース割り当てに対応し得る。一例では、第１の周期的リソース割り当ては、第１のグラントフリーリソース割り当てに対応し得る。一例では、第１のグラントフリーリソース割り当ては、タイプ１のグラントフリーリソース割り当てであり得る。タイプ１のグラントフリーリソース割り当てでは、複数のリソースは、第１の周期的リソース割り当て構成パラメータ（例えば、第１のタイプ１のグラントフリーリソース割り当ての構成パラメータ）の受信に応じてアクティブ化され得る。一例では、第１のグラントフリーリソース割り当ては、タイプ２のグラントフリーリソース割り当てであり得る。タイプ２のグラントフリーリソース割り当てでは、複数のリソースは、第１の周期的リソース割り当て構成パラメータ（例えば、第１のタイプ２のグラントフリーリソース割り当ての構成パラメータ）の受信および第１のタイプ２グラントフリーリソース割り当てをアクティブ化するアクティブ化ＤＣＩの受信に応じてアクティブ化され得る。一例では、第１の周期的リソース割り当ては、半永続的スケジューリングリソース割り当てに対応し得る。一例では、第１の周期的リソース割り当て構成パラメータは、第１の周期的リソース割り当ての周期性パラメータを含み得る。一例では、第１の周期的リソース割り当ての周期性（例えば、２つの続く送信機会の間の時間間隔）は、少なくともＲＲＣにより構成された第１の周期性パラメータに基づき得る。一例では、第１の周期的リソース割り当て構成パラメータは、１つ以上の他のパラメータを含み得る。１つ以上の他のパラメータは、無線ネットワーク一時識別子を含み得る。
【００８５】
一例では、無線デバイスは、第１の周期的リソース割り当てのアクティブ化を示すＤＣＩを受信し得る。一例では、第１の周期的リソース割り当ては、タイプ２のグラントフリーのリソース割り当てであり得る。無線デバイスは、ＤＣＩの受信に応じて複数のリソースをアクティブ化し得る。一例では、ＤＣＩは、無線ネットワーク一時識別子に関連付けられ得る（例えば、第１の周期的リソース割り当てのためにＲＲＣで構成され得る）。ＤＣＩは、１つ以上のリソース割り当てパラメータ、１つ以上の電力制御パラメータ、１つ以上のＨＡＲＱ関連パラメータなどを含む複数のフィールドを含み得る。一例では、ＤＣＩは、１つ以上の第１のフィールドを含み得る。一例では、ＤＣＩは、複数のトランスポートブロックの送信のための無線リソースを示し得る。一例では、ＤＣＩは、複数のトランスポートブロックの送信のための無線リソースを示す１つ以上の第２のフィールドを含み得る。一例では、ＤＣＩは、第１の値までの１つ以上の送信持続期間を示し得る。一例では、１つ以上の送信持続期間中の送信持続期間は、トランスポートブロック／パケット持続期間に対応し得る。一例では、１つ以上の送信持続期間における送信持続期間は、送信時間間隔（ＴＴＩ）に対応し得る。一例では、１つ以上の送信持続期間中の送信持続期間は、ＰＵＳＣＨ送信持続期間に対応し得る。第１の値は、最大送信持続期間値であり得る。一実施形態によれば、１つ以上の送信持続期間における送信持続期間」は、１つ以上の論理チャネルに対応し得る。一例では、無線デバイスは、周期的リソース割り当てに対応する複数のリソースをアクティブ化する前に、周期的リソース割り当てアクティブ化ＤＣＩとしてＤＣＩを検証し得る。一例では、ＤＣＩを周期的リソース割り当てアクティブ化ＤＣＩとして検証するために、少なくともＤＣＩの新しいデータインジケータ（ＮＤＩ）フィールドは、ゼロであり得る。一例では、ＤＣＩの１つ以上の第１のフィールドはニューメロロジーを示し得る。一例では、ニューメロロジーは、サブキャリアスペーシング、シンボル持続期間、サイクリックプレフィックス持続期間などを含む１つ以上のパラメータを示し得る。一例では、１つ以上のフィールドは、送信時間間隔（ＴＴＩ）を示し得る。一例では、ＴＴＩは、トランスポートブロック／パケット送信持続期間を示し得る。
【００８６】
一例では、無線デバイスは、第１の周期的リソース割り当てに関連付けられた無線リソースを介して複数のトランスポートブロックを送信し得る。一例では、２つの続く送信機会の間の時間間隔は、１つまたは複数の第１のフィールドおよび第１の周期性パラメータ（例えば、ＲＲＣによって構成されている）に基づき得る。一例では、２つの続く送信機会の間の間隔を決定するためのシンボル持続期間は、１つ以上の第１のフィールドに基づき得る。無線デバイスは、シンボル持続期間にＲＲＣによって示される周期性パラメータを掛けることにより、２つの続く送信機会の間の時間間隔を取得し得る。
【００８７】
例示的な実施形態では、無線デバイスは、基地局から１つ以上の無線リソース制御（ＲＲＣ）メッセージを受信し得る。１つ以上のＲＲＣメッセージは、第１の周期的リソース割り当て構成パラメータを含み得る。第１の周期的リソース割り当て構成パラメータは、第１の周期的リソース割り当てに対応し得る。一例では、第１の周期的リソース割り当ては、第１のグラントフリーリソース割り当てに対応し得る。一例では、第１のグラントフリーリソース割り当ては、タイプ１のグラントフリーリソース割り当てであり得る。タイプ１のグラントフリーリソース割り当てでは、複数のリソースは、第１の周期的リソース割り当て構成パラメータ（例えば、第１のタイプ１のグラントフリーリソース割り当ての構成パラメータ）の受信に応じてアクティブ化され得る。一例では、第１のグラントフリーリソース割り当ては、タイプ２のグラントフリーリソース割り当てであり得る。タイプ２のグラントフリーリソース割り当てでは、複数のリソースは、第１の周期的リソース割り当て構成パラメータ（例えば、第１のタイプ２のグラントフリーリソース割り当ての構成パラメータ）の受信および第１のタイプ２グラントフリーリソース割り当てをアクティブ化するアクティブ化ＤＣＩの受信に応じてアクティブ化され得る。一例では、第１の周期的リソース割り当ては、半永続的スケジューリングリソース割り当てに対応し得る。一例では、第１の周期的リソース割り当て構成パラメータは、第１の周期的リソース割り当ての周期性パラメータを含み得る。一例では、第１の周期的リソース割り当て構成パラメータは、第２のパラメータを含み得る。第２のパラメータは、ニューメロロジーパラメータを示し得る。一例では、ニューメロロジーパラメータは、シンボル持続期間、サブキャリアスペーシングなどを含む複数のパラメータを決定し得る。一例では、第１の周期的リソース割り当ての周期性（例えば、２つの続く送信機会の間の時間間隔）は、少なくともＲＲＣにより構成された第１の周期性パラメータおよび第２のパラメータに基づき得る。一例では、第１の周期的リソース割り当て構成パラメータは、１つ以上の他のパラメータを含み得る。１つ以上の他のパラメータは、無線ネットワーク一時識別子を含み得る。
【００８８】
一例では、無線デバイスは、第１の周期的リソース割り当てに関連付けられた無線リソースを介して複数のトランスポートブロックを送信し得る。一例では、２つの続く送信機会の間の時間間隔は、第１の周期性パラメータおよび第２のパラメータ（例えば、ＲＲＣによって構成されている）に基づき得る。一例では、２つの続く送信機会の間の間隔を決定するためのシンボル持続期間は、第２のパラメータに基づき得る。無線デバイスは、シンボル持続期間にＲＲＣによって示される周期性パラメータを掛けることにより、２つの続く送信機会の間の時間間隔を取得／決定し得る。一例では、第１の周期性パラメータは、シンボルの数を示す。第２のパラメータは、シンボル持続期間を示す。２つの続く送信機会の間の時間間隔は、シンボルの数にシンボル持続期間を掛けた値に基づく。一例において、第１の周期性パラメータは、送信時間間隔の数を示す。第２のパラメータは、シンボル持続期間を示す。２つの続く送信機会の間の時間間隔は、送信時間間隔の数に送信時間間隔の持続期間を掛けた値に基づく。
【００８９】
例示的な実施形態では、基地局は、オフセット値（例えば、０、１、…）を用いて無線デバイスのＳＰＳを構成し得る。一例では、オフセットは、ＲＲＣを使用して構成され得る。一例では、オフセットは動的に示され得る（例えば、ＤＣＩおよび／またはＭＡＣ  ＣＥなどを使用して）。一例では、無線デバイスは、ＳＰＳ期間（例えば、ＲＲＣによって構成される）および／またはオフセット値および／または第１の持続期間（例えば、デフォルトＴＴＩおよび／またはシンボルの第１の数および／またはサブフレームの第１の数および／またはスロットの第１の数および／またはミニスロットの第１の数など）を使用してＳＰＳ機会を決定し得る。
【００９０】
一例では、ＵＬ−ＳＣＨで送信するために、ＭＡＣエンティティは有効なアップリンクグラントを有する必要があり得る（例えば、非適応ＨＡＲＱ再送信を除く）。一例では、ＭＡＣエンティティは、動的に（例えば、ＰＤＣＣＨ上で）またはランダムアクセス応答でアップリンクグラントを受信するか、または半永続的に構成され得る。一例では、要求された送信を実施するために、ＭＡＣ層は、下位層からＨＡＲＱ情報を受信し得る。物理層がアップリンク空間多重化用に構成されているとき、ＭＡＣ層は、下位層から同じＴＴＩに対して１つ以上のグラント（例えば、ＨＡＲＱプロセスごとに、例えば、最大２つのグラント）を受信し得る。
【００９１】
一例では、ＭＡＣエンティティは、Ｃ−ＲＮＴＩ、半永続的スケジューリングＣ−ＲＮＴＩ、または一時的Ｃ−ＲＮＴＩで構成され得る。一例では、各ＴＴＩおよび進行中のｔｉｍｅＡｌｉｇｎｍｅｎｔＴｉｍｅｒを持つＴＡＧに属する各サービングセルと、このＴＴＩで受信した各グラントについて：このＴＴＩとこのサービングセルのアップリンクグラントが、ＭＡＣエンティティのＣ−ＲＮＴＩまたはテンポラリーＣ−ＲＮＴＩのＰＤＣＣＨで受信された場合、またはこのＴＴＩのアップリンクグラントが、ランダムアクセス応答で受信された場合：アップリンクグラントが、ＭＡＣエンティティのＣ−ＲＮＴＩ用である場合および同じＨＡＲＱプロセスのためにＨＡＲＱエンティティに送達された以前のアップリンクグラントが、ＭＡＣエンティティの半永続的スケジューリングＣ−ＲＮＴＩで受信したアップリンクグラントまたは構成されたアップリンクグラントのいずれかであった場合：ＭＡＣエンティティは、ＮＤＩの値に関係なく、ＮＤＩが対応するＨＡＲＱプロセスに対してトグルされたとみなし得る。ＭＡＣエンティティは、このＴＴＩについてアップリンクグラントおよび関連付けられるＨＡＲＱ情報をＨＡＲＱエンティティに送達することができる。そうではない場合、このサービングセルがＳｐＣｅｌｌであり、このＴＴＩのアップリンクグラントが、ＭＡＣエンティティの半永続的スケジューリングＣ−ＲＮＴＩのＳｐＣｅｌｌのＰＤＣＣＨでＳｐＣｅｌｌに対して受信され、受信したＨＡＲＱ情報のＮＤＩが１である場合、ＭＡＣエンティティは、対応するＨＡＲＱプロセスのＮＤＩがトグルされていないとみなし得る。ＭＡＣエンティティは、このＴＴＩについてアップリンクグラントおよび関連付けられるＨＡＲＱ情報をＨＡＲＱエンティティに送達することができる。そうではない場合、受信したＨＡＲＱ情報のＮＤＩが０の場合：ＰＤＣＣＨコンテンツが、ＳＰＳリリースを示している場合：ＭＡＣエンティティが、ｓｋｉｐＵｐｌｉｎｋＴｘＳＰＳで構成されている場合：ＭＡＣエンティティは、ＳＰＳ確認をトリガし得、このＴＴＩのアップリンクグラントが構成されている場合、ＭＡＣエンティティは、対応するＨＡＲＱプロセスのＮＤＩビットがトグルされたとみなし得る。ＭＡＣエンティティは、このＴＴＩについてアップリンクグラントおよび関連付けられたＨＡＲＱ情報をＨＡＲＱエンティティに送達し得る。そうでなければ、ＭＡＣエンティティは、構成されたアップリンクグラントをクリアし得る（存在する場合）。そうでなければ、ＭＡＣエンティティが、ｓｋｉｐＵｐｌｉｎｋＴｘＳＰＳで構成されている場合：ＭＡＣエンティティは、ＳＰＳ確認をトリガし得る。ＭＡＣエンティティは、構成されたアップリンクグラントとして、アップリンクグラントおよび関連付けられるＨＡＲＱ情報を記憶し得る。ＭＡＣエンティティは、このＴＴＩで開始し、ＳＰＳルールに従って繰り返されるように、構成されたアップリンクグラントを初期化（アクティブでない場合）または再初期化（既にアクティブな場合）し得る。ＵＬ  ＨＡＲＱ動作が非同期である場合、ＭＡＣエンティティは、このＴＴＩに関連付けられたＨＡＲＱプロセスＩＤにＨＡＲＱプロセスＩＤを設定し���る。ＭＡＣエンティティは、対応するＨＡＲＱプロセスのＮＤＩビットがトグルされたとみなし得る。ＭＡＣエンティティは、このＴＴＩについてアップリンクグラントおよび関連付けられるＨＡＲＱ情報をＨＡＲＱエンティティに送達し得る。そうでなければ、このサービングセルが、ＳｐＣｅｌｌであり、このＴＴＩのアップリンクグラントが、ＳｐＣｅｌｌに対して構成されている場合：ＵＬ  ＨＡＲＱ操作が、非同期の場合、ＭＡＣエンティティは、ＨＡＲＱプロセスＩＤをこのＴＴＩに関連付けられたＨＡＲＱプロセスＩＤに構成され得る。ＭＡＣエンティティは、対応するＨＡＲＱプロセスのＮＤＩビットがトグルされたとみなし得る。ＭＡＣエンティティは、このＴＴＩについてアップリンクグラントおよび関連付けられるＨＡＲＱ情報をＨＡＲＱエンティティに送達し得る。
【００９２】
例では、構成されたアップリンクグラントの期間は、ＴＴＩで表現され“得る”。
【００９３】
一例では、ＭＡＣエンティティがランダムアクセス応答でのグラントと、同じＵＬサブフレームのＳｐＣｅｌｌでの送信を必要とするＣ−ＲＮＴＩまたは半永続的スケジューリングＣ−ＲＮＴＩのグラントの両方を受信した場合、ＭＡＣエンティティは、ＲＡ−ＲＮＴＩのグラントまたはＣ−ＲＮＴＩまたは半永続的スケジューリングＣ−ＲＮＴＩのグラントのいずれかを継続することを選択し得る。
【００９４】
一例では、構成されたアップリンクグラントが、測定ギャップ中に示され、測定ギャップ中にＵＬ−ＳＣＨ送信を示す場合、ＭＡＣエンティティは、グラントを処理し得るがＵＬ−ＳＣＨで送信し得ない。一例では、構成されたアップリンクグラントが、Ｓｉｄｅｌｉｎｋ  Ｄｉｓｃｏｖｅｒｙギャップ中に受信のために示され、Ｓｉｄｅｌｉｎｋ  Ｄｉｓｃｏｖｅｒｙギャップ中にＳＬ−ＤＣＨ送信での送信のためにＵＬ−ＳＣＨ送信を示す場合、ＭＡＣエンティティは、グラントを処理し得るがＵＬ−ＳＣＨで送信し得ない。
【００９５】
一例では、ｇＮＢは、ＳＰＳグラントを使用して送信されたパケット／ＴＢの再送信のために、無線デバイスに動的アップリンクグラントを送信し得る。一例では、ｇＮＢは、ＵＬ送信の復号化に失敗すると、再送信のために無線デバイスにＵＬグラントを送り得る。一例では、ＵＬグラントの受信はＮＡＣＫとして解釈され得、アップリンクグラントを受信しないことは、無線デバイスへのＡＣＫを示し得る。一例では、ＵＥは、再送信のためのＵＬグラントが受信されない限り、ＡＣＫを想定し得る。一例では、基地局は、無線デバイス用の最大フィードバックタイマーを構成することができ、無線デバイスは、ＳＰＳグラントを使用してＴＢを送信した後にタイマーを開始し得る。タイマーの進行中に無線デバイスがアップリンクグラントを受信しない場合、無線デバイスは、基地局がＴＢを正しく受信したと想定し得る。無線デバイスは、対応するＨＡＲＱプロセスを再使用し得る。
【００９６】
例示的な実施形態では、無線デバイスのＳＰＳをアクティブ化するＤＣＩは、第１のＳＰＳ機会のＨＡＲＱプロセスＩＤを示す。一例では、無線デバイスは、ルールを使用して、続くＳＰＳ機会のＨＡＲＱプロセスＩＤを決定し得る。一例では、続くＳＰＳ機会のＨＡＲＱ  ＩＤは、ＨＡＲＱプロセスＩＤのプール内で順次増加し得る。一例では、ＨＡＲＱプロセスＩＤのプールは、０からｎｕｍｂｅｒＯｆＣｏｎｆＵｌＳＰＳ−Ｐｒｏｃｅｓｓｅｓ−１までであり得、ここで、ｎｕｍｂｅｒＯｆＣｏｎｆＵｌＳＰＳ−Ｐｒｏｃｅｓｓｅｓは、無線デバイスに対して構成されている。一例では、ＨＡＲＱプロセスＩＤのプールは、プロセス＃１〜プロセス＃２までであり得、プロセス＃１および／またはプロセス＃２は、無線デバイス用に構成され得る。一例では、ｎｕｍｂｅｒＯｆＣｏｎｆＵｌＳＰＳ−Ｐｒｏｃｅｓｓｅｓおよび／またはｐｒｏｃｅｓｓ＃１および／またはｐｒｏｃｅｓｓ＃２は、ＳＰＳをアクティブ化するＤＣＩを使用して示され得る。一例では、ｎｕｍｂｅｒＯｆＣｏｎｆＵｌＳＰＳ−Ｐｒｏｃｅｓｓｅｓおよび／またはｐｒｏｃｅｓｓ＃１および／またはｐｒｏｃｅｓｓ＃２は、ＲＲＣを使用して構成され得る。一例では、アップリンクスキップが構成されている場合、およびデータの不足（ＳＰＳグラントにマッピング可能なデータの不足など）のために無線デバイスがＳＰＳ機会に送信しない場合、ＳＰＳ機会に対してＨＡＲＱプロセスＩＤは増加し得ない。
【００９７】
例示的な実施形態では、第１のＳＰＳ機会のためのＨＡＲＱプロセスＩＤは、第１の値（例えば、０、１、２など）に事前構成され得る。一例では、無線デバイスは、ルールを使用して、続くＳＰＳ機会のＨＡＲＱプロセスＩＤを決定し得る。一例では、続くＳＰＳ機会のＨＡＲＱ  ＩＤは、ＨＡＲＱプロセスＩＤのプール内で順次増加し得る。一例では、ＨＡＲＱプロセスＩＤのプールは、０からｎｕｍｂｅｒＯｆＣｏｎｆＵｌＳＰＳ−Ｐｒｏｃｅｓｓｅｓ−１までであり得、ここで、ｎｕｍｂｅｒＯｆＣｏｎｆＵｌＳＰＳ−Ｐｒｏｃｅｓｓｅｓは、無線デバイスに対して構成されている。一例では、ＨＡＲＱプロセスＩＤのプールは、プロセス＃１〜プロセス＃２までであり得、プロセス＃１および／またはプロセス＃２は、無線デバイス用に構成され得る。一例では、ｎｕｍｂｅｒＯｆＣｏｎｆＵｌＳＰＳ−Ｐｒｏｃｅｓｓｅｓおよび／またはｐｒｏｃｅｓｓ＃１および／またはｐｒｏｃｅｓｓ＃２は、ＳＰＳをアクティブ化するＤＣＩを使用して示され得る。一例では、ｎｕｍｂｅｒＯｆＣｏｎｆＵｌＳＰＳ−Ｐｒｏｃｅｓｓｅｓおよび／またはｐｒｏｃｅｓｓ＃１および／またはｐｒｏｃｅｓｓ＃２は、ＲＲＣを使用して構成され得る。一例では、アップリンクスキップが構成されている場合、およびデータの不足（ＳＰＳグラントにマッピング可能なデータの不足など）のために無線デバイスがＳＰＳ機会に送信しない場合、ＳＰＳ機会に対してＨＡＲＱプロセスＩＤは増加し得ない。
【００９８】
例示的な実施形態では、ＲＲＣを使用して、第１のＳＰＳ機会のＨＡＲＱプロセスＩＤが構成され得る。一例では、無線デバイスは、ルールを使用して、続くＳＰＳ機会のＨＡＲＱプロセスＩＤを決定し得る。一例では、続くＳＰＳ機会のＨＡＲＱ  ＩＤは、ＨＡＲＱプロセスＩＤのプール内で順次増加し得る。一例では、ＨＡＲＱプロセスＩＤのプールは、０からｎｕｍｂｅｒＯｆＣｏｎｆＵｌＳＰＳ−Ｐｒｏｃｅｓｓｅｓ−１までであり得、ここで、ｎｕｍｂｅｒＯｆＣｏｎｆＵｌＳＰＳ−Ｐｒｏｃｅｓｓｅｓは、無線デバイスに対して構成されている。一例では、ＨＡＲＱプロセスＩＤのプールは、プロセス＃１〜プロセス＃２までであり得、プロセス＃１および／またはプロセス＃２は、無線デバイス用に構成され得る。一例では、ｎｕｍｂｅｒＯｆＣｏｎｆＵｌＳＰＳ−Ｐｒｏｃｅｓｓｅｓおよび／またはｐｒｏｃｅｓｓ＃１および／またはｐｒｏｃｅｓｓ＃２は、ＳＰＳをアクティブ化するＤＣＩを使用して示され得る。一例では、ｎｕｍｂｅｒＯｆＣｏｎｆＵｌＳＰＳ−Ｐｒｏｃｅｓｓｅｓおよび／またはｐｒｏｃｅｓｓ＃１および／またはｐｒｏｃｅｓｓ＃２は、ＲＲＣを使用して構成され得る。一例では、アップリンクスキップが構成されている場合、およびデータの不足（ＳＰＳグラントにマッピング可能なデータの不足など）のために無線デバイスがＳＰＳ機会に送信しない場合、ＳＰＳ機会に対してＨＡＲＱプロセスＩＤは増加し得ない。
【００９９】
一例では、無線デバイスは、第１のＴＴＩ持続期間（例えば、ＴＴＩｊ）に対応する第１の状態変数（例えば、ＣＵＲＲＥＮＴ＿ＴＴＩｊ）を定義し得る。第１のＴＴＩ持続期間は、第１のＴＴＩ機会および／または続くＳＰＳ機会に対応するＴＴＩ持続期間であり得る。一例では、第１のＴＴＩ持続期間（および／または続くＳＰＳ機会のＴＴＩ持続期間）は、ＳＰＳをアクティブ化するＤＣＩで示され得る。一例では、第１のＴＴＩ持続期間は、ＲＲＣを使用して構成および／または示され得る。無線デバイスは、ＴＴＩｊの持続期間の後に第１の状態変数を増分し得る。無線デバイスは、第１の数（例えば、Ｋｊ）に到達した後に、第１の状態変数をリセットし得る。一例では、第１の数は、事前構成され得る。一例では、ＲＲＣは、ＳＰＳ期間（例えば、ＴＴＩに関して例えば絶対期間）を構成し得る。一例では、ＲＲＣ構成されたＳＰＳ期間は、ｓｅｍｉＰｅｒｓｉｓｔＳｃｈｅｄＩｎｔｅｒｖａｌと称され得る。一例では、基地局は、パラメータｎｕｍｂｅｒＯｆＣｏｎｆＵｌＳＰＳで無線デバイスを構成し得る。一例では、基地局は、パラメータｐｒｏｃｅｓｓ１およびｐｒｏｃｅｓｓ２で無線デバイスを構成し得る。
【０１００】
一例では、このＴＴＩ（ＣＵＲＲＥＮＴ＿ＴＴＩｊに対応する）に関連付けられたＨＡＲＱプロセスＩＤは、非同期アップリンクＨＡＲＱ動作に関する以下の式を使用して導出され得る：
ＨＡＲＱ  Ｐｒｏｃｅｓｓ  ＩＤ＝［ｆｌｏｏｒ（ＣＵＲＲＥＮＴ＿ＴＴＩｊ／ｓｅｍｉＰｅｒｓｉｓｔＳｃｈｅｄＩｎｔｅｒｖａｌＵＬ）］ｍｏｄｕｌｏ  ｎｕｍｂｅｒＯｆＣｏｎｆＵｌＳＰＳ−Ｐｒｏｃｅｓｓｅｓ、
ここで、
ＣＵＲＲＥＮＴ＿ＴＴＩｊ＝ＳＦＮ＊１０＊（ｎｕｍｂｅｒ  ｏｆ  ＴＴＩｊｓ  ｉｎ  ａ  ｓｕｂｆｒａｍｅ）＋ＳＦ  ｎｕｍｂｅｒ＊（ｎｕｍｂｅｒ  ｏｆ  ＴＴＩｊｓ  ｉｎ  ａ  ｓｕｂｆｒａｍｅ）＋ＴＴＩｊ  ｎｕｍｂｅｒ  ｉｎ  ｔｈｅ  ｓｕｂｆｒａｍｅ。数値のフロア（Ｘなど）は、Ｘより小さい最大の数値になり得る。例えば、ｆｌｏｏｒ（４．３）＝４、ｆｌｏｏｒ（５．１）＝５など。
【０１０１】
一例では、このＴＴＩ（ＣＵＲＲＥＮＴ＿ＴＴＩｊに対応する）に関連付けられたＨＡＲＱプロセスＩＤは、非同期アップリンクＨＡＲＱ動作に関連付けられる以下の式を使用して導出され得る：
ＨＡＲＱ  Ｐｒｏｃｅｓｓ  ＩＤ＝ｐｒｏｃｅｓｓ１＋［ｆｌｏｏｒ（ＣＵＲＲＥＮＴ＿ＴＴＩｊ／ｓｅｍｉＰｅｒｓｉｓｔＳｃｈｅｄＩｎｔｅｒｖａｌＵＬ）］ｍｏｄｕｌｏ（ｐｒｏｃｅｓｓ２−ｐｒｏｃｅｓｓ１）、
ここで、
ＣＵＲＲＥＮＴ＿ＴＴＩｊ＝ＳＦＮ＊１０＊（ｎｕｍｂｅｒ  ｏｆ  ＴＴＩｊｓ  ｉｎ  ａ  ｓｕｂｆｒａｍｅ）＋ＳＦ  ｎｕｍｂｅｒ＊（ｎｕｍｂｅｒ  ｏｆ  ＴＴＩｊｓ  ｉｎ  ａ  ｓｕｂｆｒａｍｅ）＋ＴＴＩｊ  ｎｕｍｂｅｒ  ｉｎ  ｔｈｅ  ｓｕｂｆｒａｍｅ。
【０１０２】
複数のニューメロロジー（複数のシンボル持続期間、ＴＴＩ持続期間など）が実装されているとき、既存の周期的リソース割り当てメカニズム（例えば、半永続的スケジューリング、構成されたグラントタイプ１または２など）を実装すると、リソースの割り当てが非効率的になる。無線ネットワークに様々なニューメロロジーが実装されているとき、周期的リソース割り当てに柔軟性と効率を追加する必要がある。例示的な実施形態は、異なるシンボル持続期間をサポートする様々なニューメロロジーが実装されるとき、強化された周期的リソース割り当てメカニズムを提供する（例えば、新無線で構成されたグラントに対）。例示的な実施形態は、周期的リソース割り当てに関連付けられるトランスポートブロックのＨＡＲＱ識別子決定のためのプロセスを強化する。複数のパラメータに基づいて。一例では、複数のパラメータは、ＲＲＣによって構成され得る。一例では、複数のパラメータは、ＲＲＣによって半静的に構成され、または、ＤＣＩによって動的に示され得る。例示的な実施形態は、アップリンクリソース効率を改善し、ｅＭＢＢおよびＵＲＬＬＣなどの様々なＱｏＳ要件を有するサービスをサポートすることを可能にする。
【０１０３】
一例では、第１のＲＲＣ構成された周期性パラメータは、ＴＴＩ／シンボル持続期間に基づき得、ＳＰＳ／グラントフリーリソース割り当てをアクティブ化するＤＣＩが、ＴＴＩ／シンボル持続期間を決定し得、これにより、ＵＲＬＬＣなどをサポートする新無線で様々なサービスをサポートするために必要な柔軟性が提供される。一例では、第１のＲＲＣ構成された周期性パラメータは、ＴＴＩ／シンボル持続期間に基づき得、第２のＲＲＣ構成されたパラメータは、ＴＴＩ／シンボル持続期間を示し得る。
【０１０４】
例示的な実施形態が、図１６に示されている。一例では、無線デバイスは、基地局から１つ以上の無線リソース制御（ＲＲＣ）メッセージを受信し得る。１つ以上のＲＲＣメッセージは、第１の周期的リソース割り当て構成パラメータを含み得る。第１の周期的リソース割り当て構成パラメータは、第１の周期的リソース割り当てに対応し得る。一例では、第１の周期的リソース割り当ては、第１のグラントフリーリソース割り当てに対応し得る。一例では、第１のグラントフリーリソース割り当ては、タイプ１のグラントフリーリソース割り当てであり得る。タイプ１のグラントフリーリソース割り当てでは、複数のリソースは、第１の周期的リソース割り当て構成パラメータ（例えば、第１のタイプ１のグラントフリーリソース割り当ての構成パラメータ）の受信に応じてアクティブ化される。一例では、第１のグラントフリーリソース割り当ては、タイプ２のグラントフリーリソース割り当てであり得る。タイプ２のグラントフリーリソース割り当てでは、複数のリソースは、第１の周期的リソース割り当て構成パラメータ（例えば、第１のタイプ２のグラントフリーリソース割り当ての構成パラメータ）の受信および第１のタイプ２グラントフリーリソース割り当てをアクティブ化するアクティブ化ＤＣＩの受信に応じてアクティブ化される。一例では、第１の周期的リソース割り当ては、半永続的スケジューリングリソース割り当てに対応し得る。一例では、第１の周期的リソース割り当て構成パラメータは、第１の周期的リソース割り当ての周期性パラメータを含み得る。一例では、第１の周期的リソース割り当ての周期性（例えば、２つの続く送信機会の間の時間間隔）は、少なくともＲＲＣにより構成された第１の周期性パラメータに基づき得る。一例では、第１の周期的リソース割り当て構成パラメータは、１つ以上の他のパラメータを含み得る。１つ以上の他のパラメータは、無線ネットワーク一時識別子を含み得る。
【０１０５】
一例では、無線デバイスは、第１の周期的リソース割り当てのアクティブ化を示すＤＣＩを受信し得る。一例では、第１の周期的リソース割り当ては、タイプ２のグラントフリーのリソース割り当てであり得る。無線デバイスは、ＤＣＩの受信に応じて複数のリソースをアクティブ化し得る。一例では、ＤＣＩは、無線ネットワーク一時識別子に関連付けられ得る（例えば、第１の周期的リソース割り当てのためにＲＲＣで構成される）。ＤＣＩは、１つ以上のリソース割り当てパラメータ、１つ以上の電力制御パラメータ、１つ以上のＨＡＲＱ関連パラメータなどを含む複数のフィールドを含み得る。一例では、ＤＣＩは、１つ以上の第１のフィールドを含み得る。一例では、ＤＣＩは、複数のトランスポートブロックの送信のための無線リソースを示し得る。一例では、ＤＣＩは、複数のトランスポートブロックの送信のための無線リソースを示す１つ以上の第２のフィールドを含み得る。一例では、ＤＣＩは、第１の値までの１つ以上の送信持続期間を示し得る。一例では、１つ以上の送信持続期間中の送信持続期間は、トランスポートブロック／パケット持続期間に対応し得る。一例では、１つ以上の送信持続期間における送信持続期間は、送信時間間隔（ＴＴＩ）に対応し得る。一例では、１つ以上の送信持続期間中の送信持続期間は、ＰＵＳＣＨ送信持続期間に対応し得る。第１の値は、最大送信持続期間値であり得る。一実施形態によれば、１つ以上の送信持続期間における送信持続期間」は、１つ以上の論理チャネルに対応し得る。一例では、無線デバイスは、周期的リソース割り当てに対応する複数のリソースをアクティブ化する前に、周期的リソース割り当てアクティブ化ＤＣＩとしてＤＣＩを検証し得る。一例では、ＤＣＩを周期的リソース割り当てアクティブ化ＤＣＩとして検証するために、少なくともＤＣＩの新しいデータインジケータ（ＮＤＩ）フィールドは、ゼロであり得る。一例では、ＤＣＩの１つ以上の第１のフィールドは、ニューメロロジーを示し得る。一例では、ニューメロロジーは、サブキャリアスペーシング、シンボル持続期間、サイクリックプレフィックス持続期間などを含む１つ以上のパラメータを示し得る。一例では、１つ以上のフィールドは、送信時間間隔（ＴＴＩ）を示し得る。一例では、ＴＴＩは、トランスポートブロック／パケット送信持続期間を示し得る。
【０１０６】
一例では、無線デバイスは、第１の周期的リソース割り当てに関連付けられた無線リソースを介して複数のトランスポートブロックを送信し得る。一例では、無線デバイスは、ハイブリッド自動再送要求（ＨＡＲＱ）プロセス識別子に関連付けられたトランスポートブロックを、第１の周期的リソース割り当てに関連付けられた無線リソースを介して送信し得る。ＨＡＲＱ識別子は、１つ以上の第１のフィールドおよび第１の周期性パラメータ（例えば、ＲＲＣによって構成される）に基づき得る。
【０１０７】
様々な実施形態によれば、例えば、無線デバイス、オフネットワーク無線デバイス、基地局などのデバイスは、１つ以上のプロセッサおよびメモリを備えてもよい。メモリは、１つ以上のプロセッサによって実行されると、デバイスに一連のアクションを実施させる命令を記憶し得る。例示的なアクションの実施形態は、添付の図および明細書に示されている。様々な実施形態の特徴が組み合わされて、さらなる実施形態を作成し得る。
【０１０８】
図１７は、本発明の実施形態の態様によるフロー図である。１７１０で、無線デバイスは、１つ以上の無線リソース制御メッセージを受信する。１つ以上の無線リソース制御メッセージは、第１の周期的リソース割り当ての第１の周期性パラメータを含む第１の周期的リソース割り当て構成パラメータを含み得る。１７２０で、第１の周期的リソース割り当てのアクティブ化を示すダウンリンク制御情報が受信され得る。ダウンリンク制御情報は、１つ以上の第１のフィールドを含み得る。１７３０では、複数のトランスポートブロックは第１の周期のリソース割り当てに関連付けられた無線リソースを介して送信され得る。第１の周期的リソース割り当ての２つの続く送信機会の間の時間間隔が、１つ以上の第１のフィールドおよび第１の周期性パラメータに基づき得る。
【０１０９】
一実施形態によれば、１つ以上の第１のフィールドは、ニューメロロジーを示し、ニューメロロジーは、シンボル持続期間を示し得る。一実施形態によれば、第１の周期性パラメータは、シンボルの数を示し、１つ以上の第１のフィールドは、シンボル持続期間を示し、２つの続く送信機会の間の時間間隔は、シンボルの数にシンボル持続期間を掛けた値に基づく。一実施形態によれば、第１の周期的リソース割り当て構成パラメータは、無線ネットワーク一時識別子を含み得る。一実施形態によれば、ダウンリンク制御情報は、無線ネットワーク一時識別子に関連付けられ得る。一実施形態によれば、ダウンリンク制御情報は、複数のトランスポートブロックの送信のための無線リソースを示し得る。一実施形態によれば、ダウンリンク制御情報は、１つ以上の第２のフィールドを含み、無線リソースは、１つ以上の第２のフィールドに基づいて決定される。一実施形態によれば、ダウンリンク制御情報は、複数のトランスポートブロックの送信のための第１の値までの１つ以上の送信持続期間を示し得る。一実施形態によれば、１つ以上の送信持続期間における送信持続期間は、１つ以上の論理チャネルに対応する。実施形態によれば、第１の周期性パラメータは、送信時間間隔の数を示し得、１つ以上の第１のフィールドは、送信時間間隔の持続期間を示し得、２つの続く送信機会の間の時間間隔は、送信時間間隔の数に送信時間間隔の持続期間を掛けた値に基づき得る。
【０１１０】
図１８は、本発明の実施形態の態様によるフロー図である。１８１０で、無線デバイスは、１つ以上の無線リソース制御メッセージを受信する。１つ以上の無線リソース制御メッセージは、第１の周期的リソース割り当ての第１の周期性パラメータを含む第１の周期的リソース割り当て構成パラメータを含み得る。１８２０で、第１の周期的リソース割り当てのアクティブ化を示すダウンリンク制御情報が受信され得る。ダウンリンク制御情報は、１つ以上の第１のフィールドを含み得る。１８３０で、ハイブリッド自動再送要求（ＨＡＲＱ）プロセス識別子に関連付けられたトランスポートブロックが、第１の周期的リソース割り当てに関連付けられた無線リソースを介して送信され得る。ＨＡＲＱプロセス識別子は、１つ以上の第１のフィールドおよび第１の周期性パラメータに基づく。
【０１１１】
一実施形態によれば、１つ以上の第１のフィールドは、ニューメロロジーを示し得、ニューメロロジーは、シンボル持続期間を示し得る。一実施形態によれば、第１の周期性パラメータは、シンボルの数を示し、１つ以上の第１のフィールドは、シンボル持続期間を示し、２つの続く送信機会の間の時間間隔は、シンボルの数にシンボル持続期間を掛けた値に基づく。一実施形態によれば、第１の周期的リソース割り当て構成パラメータは、無線ネットワーク一時識別子を含み得る。一実施形態によれば、ダウンリンク制御情報は、無線ネットワーク一時識別子に関連付けられ得る。一実施形態によれば、ダウンリンク制御情報は、複数のトランスポートブロックの送信のための無線リソースを示し得る。一実施形態によれば、ダウンリンク制御情報は、１つ以上の第２のフィールドを含み、無線リソースは、１つ以上の第２のフィールドに基づいて決定される。一実施形態によれば、ダウンリンク制御情報は、複数のトランスポートブロックの送信のための第１の値までの１つ以上の送信持続期間を示す。一実施形態によれば、１つ以上の送信持続期間における送信持続期間は、１つ以上の論理チャネルに対応する。実施形態によれば、第１の周期性パラメータは、送信時間間隔の数を示し得、１つ以上の第１のフィールドは、送信時間間隔の持続期間を示し得、２つの続く送信機会の間の時間間隔は、送信時間間隔の数に送信時間間隔の持続期間を掛けた値に基づき得る。
【０１１２】
図１９は、本発明の実施形態の態様によるフロー図である。１９１０で、基地局は１つ以上の無線リソース制御メッセージを送信し得る。１つ以上の無線リソース制御メッセージは、第１の周期的リソース割り当ての第１の周期性パラメータを含む第１の周期的リソース割り当て構成パラメータを含む。１９２０で、第１の周期的リソース割り当てのアクティブ化を示すダウンリンク制御情報が送信され得る。ダウンリンク制御情報は、１つ以上の第１のフィールドを含み得る。１９３０で、複数のトランスポートブロックが、第１の周期的リソース割り当てに関連付けられた無線リソースを介して受信され得る。第１の周期的リソース割り当ての２つの続く送信機会の間の時間間隔が、１つ以上の第１のフィールドおよび第１の周期性パラメータに基づき得る。
【０１１３】
一実施形態によれば、１つ以上の第１のフィールドは、ニューメロロジーを示し、ここでニューメロロジーは、シンボル持続期間を示す。一実施形態によれば、第１の周期性パラメータは、シンボルの数を示し、１つ以上の第１のフィールドは、シンボル持続期間を示し、２つの続く送信機会の間の時間間隔は、シンボルの数にシンボル持続期間を掛けた値に基づく。一実施形態によれば、第１の周期的リソース割り当て構成パラメータは、無線ネットワーク一時識別子を含み得る。一実施形態によれば、ダウンリンク制御情報は、無線ネットワーク一時識別子に関連付けられ得る。一実施形態によれば、ダウンリンク制御情報は、複数のトランスポートブロックの送信のための無線リソースを示し得る。一実施形態によれば、ダウンリンク制御情報は、１つ以上の第２のフィールドを含み、無線リソースは、１つ以上の第２のフィールドに基づいて決定される。一実施形態によれば、ダウンリンク制御情報は、複数のトランスポートブロックの送信のための第１の値までの１つ以上の送信持続期間を示し得る。一実施形態によれば、１つ以上の送信持続期間における送信持続期間は、１つ以上の論理チャネルに対応する。実施形態によれば、第１の周期性パラメータは、送信時間間隔の数を示し得、１つ以上の第１のフィールドは、送信時間間隔の持続期間を示し得、２つの続く送信機会の間の時間間隔は、送信時間間隔の数に送信時間間隔の持続期間を掛けた値に基づき得る。
【０１１４】
図２０は、本発明の実施形態の態様によるフロー図である。２０１０で、基地局は、１つ以上の無線リソース制御メッセージを送信し得る。１つ以上の無線リソース制御メッセージは、第１の周期的リソース割り当ての第１の周期性パラメータを含む第１の周期的リソース割り当て構成パラメータを含み得る。２０２０で、第１の周期的リソース割り当てのアクティブ化を示すダウンリンク制御情報が送信され得る。ダウンリンク制御情報は、１つ以上の第１のフィールドを含み得る。２０３０で、ハイブリッド自動再送要求（ＨＡＲＱ）プロセス識別子に関連付けられたトランスポートブロックを、第１の周期的リソース割り当てに関連付けられた無線リソースを介して受信され得る。ＨＡＲＱプロセス識別子は、１つ以上の第１のフィールドおよび第１の周期性パラメータに基づく。
【０１１５】
一実施形態によれば、１つ以上の第１のフィールドは、ニューメロロジーを示し得、ここでニューメロロジーは、シンボル持続期間を示す。一実施形態によれば、第１の周期性パラメータは、シンボルの数を示し、１つ以上の第１のフィールドは、シンボル持続期間を示し、２つの続く送信機会の間の時間間隔は、シンボルの数にシンボル持続期間を掛けた値に基づく。一実施形態によれば、第１の周期的リソース割り当て構成パラメータは、無線ネットワーク一時識別子を含み得る。一実施形態によれば、ダウンリンク制御情報は、無線ネットワーク一時識別子に関連付けられ得る。一実施形態によれば、ダウンリンク制御情報は、複数のトランスポートブロックの送信のための無線リソースを示し得る。一実施形態によれば、ダウンリンク制御情報は、１つ以上の第２のフィールドを含み、無線リソースは、１つ以上の第２のフィールドに基づいて決定される。一実施形態によれば、ダウンリンク制御情報は、複数のトランスポートブロックの送信のための第１の値までの１つ以上の送信持続期間を示す。一実施形態によれば、１つ以上の送信持続期間における送信持続期間は、１つ以上の論理チャネルに対応する。実施形態によれば、第１の周期性パラメータは、送信時間間隔の数を示し得、１つ以上の第１のフィールドは、送信時間間隔の持続期間を示し得、２つの続く送信機会の間の時間間隔は、送信時間間隔の数に送信時間間隔の持続期間を掛けた値に基づき得る。
【０１１６】
図２１は、本発明の実施形態の態様によるフロー図である。２１１０で、無線デバイスは、１つ以上の無線リソース制御メッセージを受信する。１つ以上の無線リソース制御メッセージは、第１の周期的リソース割り当て構成パラメータおよび第２のパラメータを含み得る。第１の周期的リソース割り当て構成パラメータは、第１の周期的リソース割り当ての第１の周期性パラメータを含み得る。２１２０において、複数のトランスポートブロックは、第１の周期的リソース割り当てに関連付けられた無線リソースを介して送信され得る。第１の周期的なリソース割り当ての２つの続く送信機会の間の時間間隔は、第２のパラメータおよび第１の周期性パラメータに基づき得る。
【０１１７】
一実施形態によれば、第１の周期性パラメータは、シンボルの数を示し、第２のパラメータは、シンボル持続期間を示し、２つの続く送信機会の間の時間間隔は、シンボルの数にシンボル持続期間を掛けた値に基づく。一実施形態によれば、第１の周期性パラメータが、送信時間間隔の数を示し、第２のパラメータが、送信時間間隔の持続期間を示し、２つの続く送信機会の間の時間間隔が、送信時間間隔の数に送信時間間隔の持続期間を掛けた値に基づく。
【０１１８】
図２２は、本発明の実施形態の態様によるフロー図である。２２１０で、基地局は、１つ以上の無線リソース制御メッセージを送信する。１つ以上の無線リソース制御メッセージは、第１の周期的リソース割り当て構成パラメータおよび第２のパラメータを含み得る。第１の周期的リソース割り当て構成パラメータは、第１の周期的リソース割り当ての第１の周期性パラメータを含み得る。２２２０で、複数のトランスポートブロックが、第１の周期的リソース割り当てに関連付けられた無線リソースを介して受信され得る。第１の周期的なリソース割り当ての２つの続く送信機会の間の時間間隔は、第２のパラメータおよび第１の周期性パラメータに基づき得る。
【０１１９】
一実施形態によれば、第１の周期性パラメータはシンボルの数を示し、第２のパラメータは、シンボル持続期間を示し、２つの続く送信機会の間の時間間隔が、シンボルの数にシンボル持続期間を掛けた値に基づく。一実施形態によれば、第１の周期性パラメータが、送信時間間隔の数を示し、第２のパラメータが、送信時間間隔の持続期間を示し、２つの続く送信機会の間の時間間隔が、送信時間間隔の数に送信時間間隔の持続期間を掛けた値に基づく。
【０１２０】
本明細書において、「１つ（ａ）」および「１つ（ａｎ）」および類似のフレーズは、「少なくとも１つ」および「１つ以上」として解釈されるべきである。本明細書では、「得る（ｍａｙ）」という用語は「例えば、得る（ｍａｙ、ｆｏｒ  ｅｘａｍｐｌｅ）」などと解釈されるべきである。言い換えれば、用語「得る（ｍａｙ）」は、用語「得る（ｍａｙ）」に続く句が、１つまたは複数の様々な実施形態に用いられる場合とされない場合がある多数の好適な可能性のうちの一例であることを示す。ＡとＢがセットであり、Ａの全ての要素がＢの要素でもある場合、Ａは、Ｂのサブセットと称される。本明細書では、空でないセットとサブセットのみが考慮される。例えば、Ｂの可能なサブセット＝｛ｃｅｌｌ１，ｃｅｌｌ２｝は：｛ｃｅｌｌ１｝、｛ｃｅｌｌ２｝、および｛ｃｅｌｌ１，ｃｅｌｌ２｝である。
【０１２１】
本明細書では、パラメータ（情報要素：ＩＥ）は、１つ以上のオブジェクトを含み得、それらのオブジェクトの各々は、１つ以上の他のオブジェクト含み得る。例えば、パラメータ（ＩＥ）Ｎが、パラメータ（ＩＥ）Ｍを含み、パラメータ（ＩＥ）Ｍが、パラメータ（ＩＥ）Ｋを含み、パラメータ（ＩＥ）Ｋが、パラメータ（情報要素）Ｊを含む場合、そのとき、例えば、Ｎは、Ｋを含み、Ｎは、Ｊを含む。例示的な実施形態では、１つ以上のメッセージが複数のパラメータを含むとき、複数のパラメータ内のパラメータは、１つ以上のメッセージのうちの少なくとも１つにあるが、１つ以上のメッセージの各々にある必要はないことを意味する。
【０１２２】
開示される実施形態で説明される要素の多くは、モジュールとして実装され得る。ここでモジュールは、定義された機能を実施し、他の要素への定義されたインターフェースを有する分離可能な要素として定義される。本開示で説明するモジュールは、ハードウェア、ハードウェアと組み合わせたソフトウェア、ファームウェア、ウェットウェア（すなわち、生物学的要素を有するハードウェア）、またはそれらの組み合わせで実装し得、これらは、全て動作的に同等である。例えば、モジュールは、ハードウェアマシン（Ｃ、Ｃ＋＋、Ｆｏｒｔｒａｎ、Ｊａｖａ（登録商標）、Ｂａｓｉｃ、Ｍａｔｌａｂなど）によって実行されるように構成されたコンピュータ言語で記述されたソフトウェアルーチンまたはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔのようなモデリング／シミュレーションプログラムとして実装され得る。さらに、ディスクリートまたはプログラム可能なアナログ、デジタル、および／または量子ハードウェアを組み込んだ物理ハードウェアを使用してモジュールを実装することも可能であり得る。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、および複雑なプログラマブルロジックデバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、多くの場合、プログラム可能なデバイス上で機能の少ない内部ハードウェアモジュール間の接続を構成するＶＨＳＩＣハードウェア記述言語（ＶＨＤＬ）またはＶｅｒｉｌｏｇなどのハードウェア記述言語（ＨＤＬ）を使用してプログラムされる。最後に、機能モジュールの結果を達成するために、上記の技術がしばしば組み合わせて使用されることを強調する必要がある。
【０１２３】
この特許文書の開示には、著作権保護の対象となる資料が組み込まれている。著作権所有者は、特許商標局の特許ファイルまたは記録に記載されているように、法律で要求される限られた目的のために、特許文書または特許開示のいずれかによるファクシミリ複製に異議を唱えないが、そうでない場合、全ての著作権を留保する。
【０１２４】
様々な実施形態が上記で説明されたが、それらは例として提示されており、限定ではないことを理解されたい。関連技術（複数可）の当業者には、本発明の精神および範囲から逸脱することなく、形態および詳細の様々な変更を行うことができることは明らかであろう。実際、上記の説明を読んだ後、代替の実施形態を実装する方法が関連技術（複数可）の当業者に明らかになるであろう。したがって、本実施形態は、上述の例示的な実施形態のいずれによっても限定されるべきではない。特に、例示の目的で、上記の説明は、ＦＤＤ通信システムを使用する例（複数可）に焦点を合わせていることに注意すべきである。しかし、当業者は、本発明の実施形態が１つ以上のＴＤＤセル（例えば、フレーム構造２および／またはフレーム構造３ライセンス支援アクセス）を含むシステムで実装され得ることを認識するであろう。開示された方法およびシステムは、無線または有線システムで実装され得る。本発明で提示される様々な実施形態の特徴は、組み合わせられ得る。一実施形態の１つまたは多くの特徴（方法またはシステム）は、他の実施形態で実装され得る。当業者に様々な実施形態で組み合わせて、強化された送信および受信システムおよび方法を作成し得る特徴の可能性を示すために、限られた数の例の組み合わせのみが示されている。
【０１２５】
さらに、機能と利点を強調する任意の図は、例示のみを目的として提示されていることを理解すべきである。開示されたアーキテクチャは、示されている以外の方法で利用できるように、十分に柔軟で構成可能である。例えば、いくつかの実施形態では、任意のフローチャートに列挙されたアクションを並べ替え、または任意選択としてのみ使用し得る。
【０１２６】
さらに、本開示の要約の目的は、米国特許商標局および一般の人々、特に特許や法的用語や語法に精通していない科学者、技術者、実務家が、大まかな検査から、出願の技術的開示の性質と本質を迅速に決定できるようにすることである。開示の要約は、いかなる意味においても範囲を限定することを意図しない。
【０１２７】
最後に、３５Ｕ．Ｓ．Ｃ．１１２、パラグラフ６の下で、「を意味する」または「のステップ」という表現を含む特許請求範囲のみを解釈することは、出願人の意図である。「を意味する」または「のステップ」の語句を明示的に含まない特許請求範囲は、３５Ｕ．Ｓ．Ｃ．１１２の下で解釈されるべきではない。
【図１】
0006788244.tif 000009
【図２】
0006788244.tif 000010
【図３】
0006788244.tif 000011
【図４】
0006788244.tif 000012
【図５Ａ】
0006788244.tif 000013
【図５Ｂ】
0006788244.tif 000014
【図５Ｃ】
0006788244.tif 000015
【図５Ｄ】
0006788244.tif 000016
【図６】
0006788244.tif 000017
【図７】
0006788244.tif 000018
【図８】
0006788244.tif 000019
【図９】
0006788244.tif 000020
【図１０Ａ】
0006788244.tif 000021
【図１０Ｂ】
0006788244.tif 000022
【図１１Ａ】
0006788244.tif 000023
【図１１Ｂ】
0006788244.tif 000024
【図１１Ｃ】
0006788244.tif 000025
【図１１Ｄ】
0006788244.tif 000026
【図１１Ｅ】
0006788244.tif 000027
【図１１Ｆ】
0006788244.tif 000028
【図１２Ａ】
0006788244.tif 000029
【図１２Ｂ】
0006788244.tif 000030
【図１２Ｃ】
0006788244.tif 000031
【図１３Ａ】
0006788244.tif 000032
【図１３Ｂ】
0006788244.tif 000033
【図１４】
0006788244.tif 000034
【図１５】
0006788244.tif 000035
【図１６】
0006788244.tif 000036
【図１７】
0006788244.tif 000037
【図１８】
0006788244.tif 000038
【図１９】
0006788244.tif 000039
【図２０】
0006788244.tif 000040
【図２１】
0006788244.tif 000041
【図２２】
0006788244.tif 000042